(57)【要約】【課題】様々な閃光装置との互換性を確保できるカメラ本体を提供する。【解決手段】カメラ本体１００は、ＣＭＯＳイメージセンサー１１０と、ホットシュー１６１と、カメラコントローラー１４０と、を備えている。カメラコントローラー１４０は、ＣＭＯＳイメージセンサー１１０で生成される画像データに基づき評価値を算出し、評価値に基づいてビデオＡＦを行う。カメラコントローラー１４０は、補助光を使用すると判断した場合であってホットシュー１６１に装着されている外部フラッシュの外部補助光源がビデオＡＦに対応していないと判断した場合に、ビデオＡＦ中に閃光装置の外部メイン光源が間欠的に発光しながら画像データが取得されるようにＣＭＯＳイメージセンサー１１０および閃光装置を制御する。【選択図】図９
2010097213.tif 000002
【特許請求の範囲】
【請求項１】
被写体の光学像を形成するためのレンズユニットと前記被写体に光を照射するための閃光装置とを装着可能なカメラ本体であって、
前記被写体の光学像を電気信号に変換し、前記被写体の画像データを生成する撮像素子と、
前記閃光装置を装着可能なホットシューと、
前記撮像素子で生成される前記画像データに基づき評価値を算出し、前記評価値に基づいてビデオＡＦを行うカメラコントローラーと、を備え、
前記カメラコントローラーは、補助光を使用すると判断した場合であって前記ホットシューに装着されている前記閃光装置の外部補助光源が前記ビデオＡＦに対応していないと判断した場合に、前記ビデオＡＦ中に前記閃光装置の外部メイン光源が間欠的に発光しながら前記画像データが取得されるように前記撮像素子および前記閃光装置を制御する、
カメラ本体。
【請求項２】
前記カメラコントローラーは、補助光を使用すると判断した場合であって前記ホットシューに装着されている前記閃光装置の外部補助光源が前記ビデオＡＦに対応していないと判断した場合に、前記撮像素子の電荷蓄積周期に同期して前記外部メイン光源が間欠的に発光するように前記閃光装置を制御する、
請求項１に記載のカメラ本体。
【請求項３】
前記カメラコントローラーは、前記外部補助光源が前記ビデオＡＦに対応しているか否かに関するビデオＡＦ情報を前記ホットシューに装着されている前記閃光装置から取得し、前記ビデオＡＦ情報に基づいて前記外部補助光源が前記ビデオＡＦに対応しているか否かを判断する、
請求項１または２に記載のカメラ本体。
【請求項４】
前記カメラコントローラーは、前記ビデオＡＦ情報がビデオＡＦ対応の場合は、前記外部補助光源が前記ビデオＡＦに対応していると判断し、前記ビデオＡＦ情報がビデオＡＦ非対応の場合は、前記外部補助光源が前記ビデオＡＦに対応していないと判断する、
請求項３に記載のカメラ本体。
【請求項５】
前記カメラコントローラーは、前記ビデオＡＦ情報が前記閃光装置から取得できない場合は、前記外部補助光源が前記ビデオＡＦに対応していないと判断する、
請求項３または４に記載のカメラ本体。
【請求項６】
前記カメラコントローラーは、前記閃光装置を特定するための製品特定情報を前記ホットシューに装着された前記閃光装置から取得し、前記製品特定情報に基づいて前記外部補助光源が前記ビデオＡＦに対応しているか否かを判断する、
請求項１または２に記載のカメラ本体。
【請求項７】
前記カメラコントローラーは、前記ビデオＡＦに対応している外部補助光源を有する閃光装置の製品特定情報を含む製品リストを記憶しており、前記ホットシューに装着された閃光装置から取得した前記製品特定情報が前記製品リストに含まれている場合には、前記ホットシューに装着された閃光装置の前記外部補助光源がビデオＡＦに対応していると判断し、前記ホットシューに装着された閃光装置から取得した前記製品特定情報が前記製品リストに含まれていない場合には、前記装着された閃光装置の外部補助光源が前記ビデオＡＦに対応していないと判断する、
請求項６に記載のカメラ本体。
【請求項８】
前記カメラコントローラーは、前記ビデオＡＦに対応していない外部補助光源を有する閃光装置の製品特定情報を含む製品リストを記憶しており、前記ホットシューに装着された閃光装置から取得した前記製品特定情報が前記製品リストに含まれていない場合には、前記ホットシューに装着された閃光装置の外部補助光源がビデオＡＦに対応していると判断し、前記ホットシューに装着された閃光装置から取得した前記製品特定情報が前記製品リストに含まれている場合には、前記ホットシューに装着された閃光装置の外部補助光源が前記ビデオＡＦに対応していないと判断する、
請求項６に記載のカメラ本体。
【請求項９】
前記カメラコントローラーは、補助光を使用するか否かを判断する補助光判断部と、前記ホットシューに装着された前記閃光装置が前記ビデオＡＦに対応しているか否かを判断する閃光装置判断部と、前記補助光判断部の第１判断結果と前記閃光装置判断部の第２判断結果とに基づいて、前記ビデオＡＦ中に前記外部メイン光源が間欠的に発光するように前記閃光装置を制御する発光動作制御部と、を有している、
請求項１から８のいずれかに記載のカメラ本体。
【請求項１０】
被写体の光学像を形成するためのレンズユニットと前記被写体に光を照射するための閃光装置とを装着可能なカメラ本体であって、
前記被写体の光学像を電気信号に変換し、前記被写体の画像データを生成する撮像素子と、
前記閃光装置を装着可能なホットシューと、
前記撮像素子で生成される前記画像データに基づき評価値を算出し、前記評価値に基づいてビデオＡＦを行うカメラコントローラーと、を備え、
前記カメラコントローラーは、補助光を使用すると判断した場合であって前記ホットシューに装着される前記閃光装置が近赤外光を発する外部補助光源を有していると判断した場合に、前記ビデオＡＦ中に前記閃光装置の外部メイン光源が間欠的に発光しながら前記画像データが取得されるように前記撮像素子および前記閃光装置を制御する、
カメラ本体。
【請求項１１】
前記カメラコントローラーは、補助光を使用すると判断した場合であって前記ホットシューに装着されている前記閃光装置が前記近赤外光を発する外部補助光源を有していると判断した場合に、前記撮像素子の電荷蓄積周期に同期して前記閃光装置の外部メイン光源が間欠的に発光するように前記閃光装置を制御する、
請求項１０に記載のカメラ本体。
【請求項１２】
前記カメラコントローラーは、前記閃光装置が近赤外光を発する外部補助光源を有しているか否かに関する光源特定情報を前記ホットシューに装着されている前記閃光装置から取得し、前記光源特定情報に基づいて前記閃光装置が近赤外光を発する外部補助光源を有しているか否かを判断する、
請求項１０または１１に記載のカメラ本体。
【請求項１３】
前記カメラコントローラーは、前記光源特定情報が前記閃光装置から取得できない場合は、前記閃光装置が近赤外光を発する外部補助光源を有していると判断する、
請求項１２に記載のカメラ本体。
【請求項１４】
前記カメラコントローラーは、前記閃光装置を特定するための製品特定情報を前記ホットシューに装着された前記閃光装置から取得し、前記製品特定情報に基づいて前記閃光装置が近赤外光を発する外部補助光源を有しているか否かを判断する、
請求項１０または１１に記載のカメラ本体。
【請求項１５】
前記カメラコントローラーは、近赤外光を発する外部補助光源を有している前記閃光装置の製品特定情報を含む製品リストを記憶しており、前記ホットシューに装着された閃光装置から取得した前記製品特定情報が前記製品リストに含まれている場合には、前記ホットシューに装着された閃光装置の前記外部補助光源がビデオＡＦに対応していると判断し、前記ホットシューに装着された閃光装置から取得した前記製品特定情報が前記製品リストに含まれていない場合には、前記装着された閃光装置が近赤外光を発する外部補助光源を有していると判断する、
請求項１４に記載のカメラ本体。
【請求項１６】
前記カメラコントローラーは、近赤外光を発する外部補助光源を有していない閃光装置の製品特定情報を含む製品リストを記憶しており、前記ホットシューに装着された閃光装置から取得した前記製品特定情報が前記製品リストに含まれていない場合には、前記ホットシューに装着された閃光装置が近赤外光を発する外部補助光源を有していると判断し、前記ホットシューに装着された閃光装置から取得した前記製品特定情報が前記製品リストに含まれている場合には、前記ホットシューに装着された閃光装置が近赤外光を発する外部補助光源を有していないと判断する、
請求項１４に記載のカメラ本体。
【請求項１７】
前記カメラコントローラーは、補助光を使用するか否かを判断する補助光判断部と、前記ホットシューに装着された前記閃光装置が近赤外光を発する外部補助光源を有しているか否かを判断する閃光装置判断部と、前記補助光判断部の第１判断結果と前記閃光装置判断部の第２判断結果とに基づいて、前記ビデオＡＦ中に前記外部メイン光源が間欠的に発光するように前記閃光装置を制御する発光動作制御部と、を有している、
請求項１０から１６のいずれかに記載のカメラ本体。
【発明の詳細な説明】
【技術分野】
【０００１】
ここに開示された技術は、外付けの閃光装置を装着可能なカメラ本体に関する。
【背景技術】
【０００２】
特許文献１は、一眼レフレックスカメラを開示している。このカメラは、レンズユニットおよびカメラ本体を有している。カメラ本体は、ＣＣＤ（Charge Coupled Device）イメージセンサーと、レンズユニットとＣＣＤイメージセンサーとの間に配置されたミラーボックス装置と、を備えている。ミラーボックス装置がレンズユニットからの被写体光束をＣＣＤイメージセンサーまたはプリズムのいずれかに導く。プリズムに導かれた被写体光束はプリズムによってファインダに導かれる。
【先行技術文献】
【特許文献】
【０００３】
【特許文献１】特開２００７−１２７８３６号公報
【発明の概要】
【発明が解決しようとする課題】
【０００４】
しかし、この種の交換レンズ式のデジタルカメラは、ミラーボックス装置を備えているため、カメラ本体の小型化が困難である。
そこで、本願の発明者らは、ミラーボックス装置を有しない新しい交換レンズ式のデジタルカメラを考案した。そして、本願の発明者らは、新しい交換レンズ式のデジタルカメラの更なる開発において、撮像素子で生成された画像データに基づいたオートフォーカス（以下、ビデオＡＦ（Video Auto Focus）ともいう）を採用すると、従来の一眼レフレックスカメラとともに使用される閃光装置の補助光を使用できない場合があることを見出した。
ここに開示された技術は、様々な閃光装置との互換性を確保できるカメラ本体を提供することを目的とする。
【課題を解決するための手段】
【０００５】
ここに開示されたカメラ本体は、被写体の光学像を形成するためのレンズユニットと被写体に光を照射するための閃光装置とを装着可能である。このカメラ本体は、撮像素子と、ホットシューと、カメラコントローラーと、を備えている。撮像素子は、被写体の光学像を電気信号に変換し、被写体の画像データを生成する。ホットシューは閃光装置を装着可能である。カメラコントローラーは、撮像素子で生成される画像データに基づき評価値を算出し、評価値に基づいてビデオＡＦを行う。カメラコントローラーは、補助光を使用すると判断した場合であってホットシューに装着されている閃光装置の外部補助光源がビデオＡＦに対応していないと判断した場合に、ビデオＡＦ中に閃光装置の外部メイン光源が間欠的に発光しながら画像データが取得されるように撮像素子および閃光装置を制御する。
【０００６】
このカメラ本体では、補助光を使用すると判断した場合であって閃光装置の外部補助光源がビデオＡＦに対応していないと判断した場合に、閃光装置の外部メイン光源が間欠的に発光しながら画像データが取得されるようにカメラコントローラにより撮像素子および閃光装置が制御される。このため、ビデオＡＦに対応していない閃光装置がカメラ本体に装着されたとしても、外部メイン光源を用いてビデオＡＦを行うことができ、ビデオＡＦに対応していない閃光装置であってもビデオＡＦの精度が低下しない。つまり、このカメラ本体では、様々な閃光装置との互換性を確保することが可能となる。
また、ここに開示された技術は、被写体の光学像を形成するためのレンズユニットと被写体に光を照射するための閃光装置とを装着可能である。このカメラ本体は、撮像素子と、ホットシューと、カメラコントローラーと、を備えている。撮像素子は、被写体の光学像を電気信号に変換し、被写体の画像データを生成する。ホットシューは閃光装置を装着可能である。カメラコントローラーは、撮像素子で生成される画像データに基づき評価値を算出し、評価値に基づいてビデオＡＦを行う。カメラコントローラーは、補助光を使用すると判断した場合であってホットシューに装着される閃光装置が近赤外光を発する外部補助光源を有していると判断した場合に、ビデオＡＦ中に閃光装置の外部メイン光源が間欠的に発光しながら画像データが取得されるように撮像素子および閃光装置を制御する。
【０００７】
このカメラ本体では、補助光を使用すると判断した場合であってホットシューに装着される閃光装置が近赤外光を発する外部補助光源を有していると判断した場合に、ビデオＡＦ中に閃光装置の外部メイン光源が間欠的に発光しながら画像データが取得されるようにカメラコントローラーにより撮像素子および閃光装置が制御される。このため、近赤外光を発する外部補助光源を有している閃光装置がカメラ本体に装着されたとしても、外部メイン光源を用いてビデオＡＦを行うことができ、ビデオＡＦに対応していない閃光装置であってもビデオＡＦの精度が低下しない。つまり、このカメラ本体では、様々な閃光装置との互換性を確保することが可能となる。
ここで、補助光には、閃光装置が発する光だけでなく、カメラ本体に搭載された内部光源が発する光も含まれる。補助光を使用するか否かは、例えば、強制発光モード、発光禁止モードおよび自動発光モードなどの発光モードで判断することができる。
【０００８】
また、ビデオＡＦとは、撮像素子で生成される画像データに基づいたオートフォーカスを意味している。さらに、閃光装置の外部メイン光源とは、撮影時に主として用いられる光源である。それに対して、閃光装置の外部補助光源とは、補助的に用いられる光源であり、外部メイン光源よりも出力が小さい。
【発明の効果】
【０００９】
以上に説明した技術であれば、様々な閃光装置との互換性を確保できるカメラ本体を提供することができる。
【図面の簡単な説明】
【００１０】
【図１】デジタルカメラ１の斜視図
【図２】カメラ本体１００の斜視図
【図３】デジタルカメラ１のブロック図
【図４】デジタルカメラ１の概略断面図
【図５】カメラ本体１００の背面図
【図６】外部フラッシュ３００を装着したデジタルカメラ１のブロック図
【図７】外部フラッシュ４００を装着したデジタルカメラ１のブロック図
【図８】光学フィルタ１１４の分光透過率と補助光の発光スペクトル分布を示す図
【図９】ビデオＡＦ時の補助光の使用に関するフローチャート（第１実施形態）
【図１０Ａ】補助光使用時の合焦位置補正の概念図（内部補助光の場合またはビデオＡＦ対応の外部補助光の場合）
【図１０Ｂ】補助光使用時の合焦位置補正の概念図（ビデオＡＦ非対応の外部補助光の場合）
【図１１】ビデオＡＦ時の外部メイン光源３０１の間欠発光のタイミングチャート
【図１２】ビデオＡＦ時の補助光の使用に関するフローチャート（第２実施形態）
【図１３】ビデオＡＦ時の補助光の使用に関するフローチャート（第３実施形態）
【図１４】ビデオＡＦ時の補助光の使用に関するフローチャート（第４実施形態）
【図１５】ビデオＡＦ時の補助光の使用に関するフローチャート（第５実施形態）
【発明を実施するための形態】
【００１１】
＜第１実施形態＞
（１：構成）
（１−１：デジタルカメラの概要）
図１〜図３に示すように、第１実施形態に係るデジタルカメラ１は、カメラ本体１００と、カメラ本体１００に装着可能なレンズユニット２００と、を備えている。
一眼レフレックスカメラとは異なり、カメラ本体１００は、ミラーボックス装置を有していないので、一眼レフレックスカメラに比してフランジバックが小さい。また、フランジバックを小さくすることで、カメラ本体１００を小型化することができる。さらに、フランジバックを小さくすることで、光学系の設計の自由度が高まるので、レンズユニット２００を小型化することができる。
【００１２】
なお、説明の便宜のため、デジタルカメラ１の被写体側を前、デジタルカメラ１の被写体と反対側を後ろまたは背、デジタルカメラ１の通常姿勢（以下、横撮り姿勢ともいう）における鉛直上側を上、鉛直下側を下ともいう。
（１−２：カメラ本体の構成）
図４および図５に示すように、カメラ本体１００は、主に、ＣＭＯＳ（Complementary Metal Oxide Semiconductor）イメージセンサー１１０と、ＣＭＯＳ回路基板１１３と、カメラモニタ１２０と、操作部１３０と、カメラコントローラー１４０を含むメイン回路基板１４２と、ボディマウント１５０と、電源１６０と、カードスロット１７０と、電子ビューファインダー１８０と、シャッターユニット１９０と、光学フィルタ１１４と、振動板１１５と、内部メイン光源１９１（内部光源の一例）と、内部補助光源１９２（内部光源の一例）と、ホットシュー１６１と、外装部材１０１と、を備えている。
【００１３】
カメラ本体１００には、前から順に、ボディマウント１５０、シャッターユニット１９０、振動板１１５、光学フィルタ１１４、ＣＭＯＳイメージセンサー１１０、ＣＭＯＳ回路基板１１３、メイン回路基板１４２およびカメラモニタ１２０が配置されている。
ＣＭＯＳイメージセンサー１１０は、レンズユニット２００により形成される被写体の光学像（以下、被写体像ともいう）を電気信号に変換して、被写体の画像データを生成する。具体的には、ＣＭＯＳイメージセンサー１１０は、光電変換により電荷を蓄積可能な光電変換層と、光電変換層の前面に設けられたカラーフィルター層と、を有している。光電変換層は、複数の画素を有しており、それぞれの画素は光電変換により電荷を蓄積可能となっている。カラーフィルター層は、青色光のみを透過する複数の青のカラーフィルターと、緑色光のみを透過する複数の緑のカラーフィルターと、赤色光のみを透過する複数の赤のカラーフィルターと、を有している。青、緑および赤のカラーフィルターのそれぞれは、光電変換層の各画素の前面に画素と１対１に対応するように配置されている。ＣＭＯＳイメージセンサー１１０は、青色のカラーフィルターが配置された画素からの信号、緑色のカラーフィルターが配置された画素からの信号、赤色のカラーフィルターが配置された画素からの信号をそれぞれ増幅することが可能である。ＣＭＯＳイメージセンサー１１０は、これらの信号に基づいて画像データを生成する。
【００１４】
生成された画像データは、ＣＭＯＳ回路基板１１３のＡＤコンバーター１１１（後述）でデジタル化される。ＡＤコンバーター１１１でデジタル化された画像データは、カメラコントローラー１４０で様々な画像処理が施される。ここで言う様々な画像処理とは、例えば、ガンマ補正処理、ホワイトバランス補正処理、キズ補正処理、ＹＣ変換処理、電子ズーム処理、ＪＰＥＧ圧縮処理等である。
ＣＭＯＳイメージセンサー１１０は、タイミング発生器１１２で制御されるタイミング信号に基づいて動作する。ＣＭＯＳイメージセンサー１１０は、ＣＭＯＳ回路基板１１３の制御により、静止画データおよび動画データの取得を行うことができる。取得された動画データはスルー画像の表示にも用いられる。
ここで、スルー画像とは、動画データのうちメモリーカード１７１に記録されない画像である。スルー画像は、主に動画であり、動画または静止画の構図を決めるためにカメラモニタ１２０および電子ビューファインダー１８０（以下、ＥＶＦとも言う）に表示される。
【００１５】
なお、ＣＭＯＳイメージセンサー１１０は被写体の光学像を電気信号に変換する撮像素子の一例である。撮像素子は、ＣＭＯＳイメージセンサー１１０やＣＣＤイメージセンサー等の光電変換素子を含む概念である。
ＣＭＯＳ回路基板１１３は、ＣＭＯＳイメージセンサー１１０を駆動制御する回路基板である。また、ＣＭＯＳ回路基板１１３は、ＣＭＯＳイメージセンサー１１０から出力される画像データに所定の処理を施す回路基板であり、図３に示すようにタイミング発生器１１２およびＡＤコンバーター１１１を含む。ＣＭＯＳ回路基板１１３は、撮像素子を駆動制御し、撮像素子から出力される画像データにＡＤ変換等の所定の処理を施す撮像素子回路基板の一例である。
カメラモニタ１２０は、例えば液晶ディスプレイであり、表示用画像データを画像として表示する。表示用画像データは、画像処理された画像データや、デジタルカメラ１の撮影条件、操作メニュー等を画像として表示するためのデータであり、例えばカメラコントローラー１４０で生成される。カメラモニタ１２０は、動画も静止画も選択的に表示可能である。
【００１６】
図５に示すように、カメラモニタ１２０はカメラ本体１００の背面に配置されている。カメラモニタ１２０はカメラ本体１００のどこに配置されていてもよい。カメラモニタ１２０は、外装部材１０１に対する表示画面の角度が変更可能である。具体的には図１、図２および図５に示すように、カメラ本体１００は、外装部材１０１とカメラモニタ１２０とを回転可能に連結するヒンジ１２１を有している。ヒンジ１２１は、横撮り姿勢の状態で背面側から見てカメラ本体１００の左端に配置されている。ヒンジ１２１は、横撮り姿勢の状態で鉛直方向に平行に配置される第１回転軸と、横撮り姿勢の状態で水平面に平行に配置される第２回転軸と、を有している。第１および第２回転軸周りにカメラモニタ１２０を回転させることで、カメラモニタ１２０の外装部材１０１に対する姿勢を自在に変えることができる。
【００１７】
なお、カメラモニタ１２０はカメラ本体１００に設けられた表示部の一例である。表示部としては、他にも、有機ＥＬ、無機ＥＬ、プラズマディスプレイパネル等、画像を表示できるものを用いることができる。また、表示部は、カメラ本体１００の背面でなく、側面や上面等、他の場所に設けてもよい。
電子ビューファインダー１８０は、カメラコントローラー１４０で生成された表示用画像データを画像として表示する。ＥＶＦ１８０は、動画も静止画も選択的に表示可能である。また、ＥＶＦ１８０とカメラモニタ１２０とは、同じ内容を表示する場合と、異なる内容を表示する場合とがあり、ともにカメラコントローラー１４０によって制御される。ＥＶＦ１８０は、画像等を表示するＥＶＦ用液晶モニタ１８１と、ＥＶＦ用液晶モニタの表示を拡大するＥＶＦ用光学系１８２と、ユーザーが目を近づける接眼窓１８３と、を有している。
【００１８】
なお、ＥＶＦ１８０もまた、表示部の一例である。カメラモニタ１２０と異なる点は、ユーザーが目を近づけて見ることにある。構造上の相違点は、ＥＶＦ１８０が接眼窓１８３を有するのに対してカメラモニタ１２０は接眼窓１８３を有しない点である。
また、ＥＶＦ用液晶モニタ１８１は、透過型液晶の場合はバックライト（不図示）を、反射型液晶の場合はフロントライト（不図示）を設けることで表示輝度を確保する。ＥＶＦ用液晶モニタ１８１は、ＥＶＦ用モニタの一例である。ＥＶＦ用モニタは、有機ＥＬ、無機ＥＬ、プラズマディスプレイパネル等、画像を表示できるものを用いることができる。有機ＥＬのような自発光デバイスの場合は、照明光源は必要ない。
操作部１３０は、ユーザーによる操作を受け付ける。具体的には図１および図２に示すように、操作部１３０は、ユーザーによるシャッター操作を受け付けるレリーズ釦１３１と、カメラ本体１００の上面に設けられた回転式のダイアルスイッチである電源スイッチ１３２と、を有している。レリーズ釦１３１はユーザーによるシャッター操作を受け付ける。電源スイッチ１３２は、第１の回転位置で電源がＯＦＦとなり、第２の回転位置で電源がＯＮとなる。操作部１３０は、ユーザーによる操作を受け付けることができればよく、ボタン、レバー、ダイアル、タッチパネル等を含む。
【００１９】
カメラコントローラー１４０は、メイン回路基板１４２上に配置されており、ＣＭＯＳイメージセンサー１１０等の各部を含むカメラ本体１００全体を制御する。カメラコントローラー１４０は、操作部１３０と電気的に接続されており、操作部１３０から操作信号が入力される。カメラコントローラー１４０は、制御動作や画像処理動作の際に、ＤＲＡＭ１４１をワークメモリとして使用する。
また、カメラコントローラー１４０は、レンズユニット２００を制御するための信号を、ボディマウント１５０およびレンズマウント２５０を介してレンズコントローラー２４０に送信し、レンズユニット２００の各部を間接的に制御する。また、カメラコントローラー１４０は、ボディマウント１５０およびレンズマウント２５０を介して、レンズコントローラー２４０から各種信号を受信する。すなわち、カメラコントローラー１４０は、デジタルカメラ１全体を制御する。カメラコントローラー１４０はボディ制御部の一例である。
【００２０】
カメラコントローラー１４０は、ＣＰＵ（Central Processing Unit）、ＲＯＭ（Read Only Memory）およびＲＡＭ（Random Access Memory）を有しており、ＲＯＭに格納されたプログラムがＣＰＵに読み込まれることで様々な機能を実現し得る。カメラコントローラー１４０の機能については後述する。
カードスロット１７０は、メモリーカード１７１を装着可能である。カードスロット１７０は、カメラコントローラー１４０からの制御に基づいて、メモリーカード１７１を制御する。具体的には、カードスロット１７０は、メモリーカード１７１に画像データを格納し、メモリーカード１７１から画像データを出力する。例えば、カードスロット１７０は、メモリーカード１７１に動画データを格納し、メモリーカード１７１から動画データを出力する。
【００２１】
メモリーカード１７１は、カメラコントローラー１４０が画像処理により生成した画像データを格納可能である。例えば、メモリーカード１７１は、非圧縮のＲＡＷ画像ファイルや圧縮されたＪＰＥＧ画像ファイル等を格納できる。また、カードスロット１７０を介して、予め内部に格納された画像データまたは画像ファイルをメモリーカード１７１から出力できる。メモリーカード１７１から出力された画像データまたは画像ファイルは、カメラコントローラー１４０で画像処理される。例えば、カメラコントローラー１４０は、メモリーカード１７１から取得した画像データまたは画像ファイルを伸張などして表示用画像データを生成する。
メモリーカード１７１は、さらに、カメラコントローラー１４０が画像処理により生成した動画データを格納可能である。例えば、メモリーカード１７１は、動画圧縮規格であるＨ．２６４／ＡＶＣに従って圧縮された動画ファイルを格納できる。また、カードスロット１７０を介して、予め内部に格納された動画データまたは動画ファイルをメモリーカード１７１から出力できる。メモリーカード１７１から出力された動画データまたは動画ファイルは、カメラコントローラー１４０で画像処理される。例えば、カメラコントローラー１４０は、メモリーカード１７１から取得した動画データまたは動画ファイルに伸張処理を施し、表示用動画データを生成する。
【００２２】
なお、メモリーカード１７１は撮像素子により生成された電気信号を記録する記録部の一例である。記録部は、メモリーカード１７１のようにカメラ本体１００に装着可能なメモリでもよく、デジタルカメラ１に搭載されているメモリでもよい。
電源１６０は、デジタルカメラ１の各部に電力を供給する。電源１６０は、例えば、乾電池であってもよいし、充電池であってもよい。また、電源１６０は、電源コード等を介してデジタルカメラ１に電力を供給する外部電源であってもよい。
ボディマウント１５０は、レンズユニット２００を装着可能であり、レンズユニット２００が装着された状態でレンズユニット２００を保持する。ボディマウント１５０は、レンズユニット２００のレンズマウント２５０と機械的および電気的に接続可能である。ボディマウント１５０とレンズマウント２５０とを介して、カメラ本体１００とレンズユニット２００との間で、データおよび／または制御信号を送受信可能である。具体的には、ボディマウント１５０とレンズマウント２５０とは、カメラコントローラー１４０とレンズコントローラー２４０との間で、データおよび／または制御信号を送受信する。ボディマウント１５０は、電源１６０から受けた電力を、レンズマウント２５０を介してレンズユニット２００全体に供給する。
【００２３】
具体的には、ボディマウント１５０は、ボディマウントリング１５１と、ボディマウント接点保持部１５２と、を含む。ボディマウントリング１５１は、レンズユニット２００のレンズマウントリング２５１との光軸ＡＸまわりの回転位置関係により、レンズマウントリング２５１と嵌合している状態または嵌合していない状態となる。すなわち、ボディマウントリング１５１とレンズマウントリング２５１との回転位置関係が第１の状態である場合には、レンズマウントリング２５１はボディマウントリング１５１に嵌合しておらす、レンズマウントリング２５１はボディマウントリング１５１に対して光軸ＡＸに平行な方向（以下、光軸方向ともいう）に移動可能（つまり、ボディマウントリング１５１から取り外し可能）である。
また、第１の状態でレンズマウントリング２５１をボディマウントリング１５１に挿入し、レンズマウントリング２５１をボディマウントリング１５１に対して回転させると、レンズマウントリング２５１はボディマウントリング１５１に嵌合する。このときのボディマウントリング１５１とレンズマウントリング２５１との回転位置関係を第２の状態とすると、回転位置関係が第２の状態の場合、ボディマウントリング１５１はレンズユニット２００を機械的に保持する。ボディマウントリング１５１がレンズユニット２００を機械的に保持するため、ボディマウントリング１５１はある程度の強度が要求される。したがって、ボディマウントリング１５１は、金属で形成されているのが好ましい。
【００２４】
ボディマウント接点保持部１５２は、ボディマウントリング１５１とシャッターユニット１９０との間に配置されており、複数の電気接点１５３を有する。レンズユニット２００がボディマウント１５０に装着されている状態で、複数の電気接点１５３は、レンズマウント２５０が有する複数の電気接点２５３とそれぞれ接触している。ボディマウント１５０の電気接点１５３とレンズマウント２５０の電気接点２５３とが接触している状態で、ボディマウント１５０とレンズマウント２５０とは電気的に接続可能となっている。また、ボディマウント１５０の電気接点１５３とレンズマウント２５０の電気接点２５３とを介してカメラ本体１００とレンズユニット２００との間で電力の供給、データおよび制御信号の送受信が行われる。
図２に示すように、ボディマウント接点保持部１５２は、開口部を有しており、ボディマウントリング１５１とシャッターユニット１９０との間に配置されている。
【００２５】
シャッターユニット１９０は、いわゆるフォーカルプレーンシャッターであり、ボディマウント１５０とＣＭＯＳイメージセンサー１１０との間に配置される。シャッターユニット１９０は、開口状態を機械的に保持することができる。シャッターユニット１９０は、カメラ本体１００の電源が停止した状態で機械的に開口状態が保持されるようにカメラコントローラー１４０により制御される。ここで、開口状態を機械的に保持するとは、電気の力を使わずに開口状態を保持するという概念である。開口状態を機械的に保持する具体的構成としては、例えば、先幕および後幕を開口状態に対応する位置で特定の部材を用いて保持する構成や、先幕および後幕を開口状態に対応する位置で永久磁石の磁力によって保持する構成が挙げられる。
光学フィルタ１１４は、被写体光の高周波成分を取り除く光学的ローパスフィルタの機能を有する。具体的には、光学フィルタ１１４は、ＣＭＯＳイメージセンサー１１０の画素のピッチよりも荒い解像度となるようにレンズユニット２００により形成される被写体像を分離する。一般的にＣＭＯＳイメージセンサー等の撮像素子は、各画素にベイヤー配列と呼ばれるＲＧＢ色のカラーフィルターやＹＣＭ色の補色カラーフィルターが配されている。従って、１画素に解像してしまうと偽色が発生するばかりでなく、繰り返しパターンの被写体では醜いモアレ現象が発生する。さらに光学フィルタ１１４は、波長が約７００ｎｍ以上の近赤外光をカットするためのＩｒカットフィルタの機能も併せ持つ。
【００２６】
振動板１１５は、ＣＭＯＳイメージセンサー１１０よりも前側（被写体側）に配置されており、ＣＭＯＳイメージセンサー１１０への埃の付着を防ぐ。また、振動板１１５は、振動板１１５自身に付着した埃を振動により振り落とす。具体的には、振動板１１５は、透明の薄い板状部材と、板状部材に振動を付与する圧電素子と、を有している。圧電素子はフレーム（図示せず）に固定されている。圧電素子に交流電圧を印加して圧電素子を振動させることで、板状部材が振動し、板状部材に付着した埃を振り落とすことができる。
内部メイン光源１９１は、被写体に閃光を照射するための光源であり、静止画を撮影する際、被写体に閃光を照射することで被写体を明るくする。内部メイン光源１９１は、カメラコントローラー１４０により制御される。本実施形態では、内部メイン光源１９１の閃光は、白色光である。
【００２７】
内部補助光源１９２は、オートフォーカスを行う際に被写体に光を照射するための光源であり、赤色を含む可視光を発する。本実施形態では、内部補助光源１９２は、分光特性の強度のピーク値の波長が６１２ｎｍの光を発する。内部補助光源１９２は、例えば、ＬＥＤである。
ホットシュー１６１は、カメラ本体１００の上部に配置されている。ホットシュー１６１には、外部フラッシュなどの閃光装置を装着することができる。ホットシュー１６１に閃光装置が装着されると、閃光装置はホットシュー１６１により支持される。ホットシュー１６１は、データ信号端子１６２、ＸＳＷ信号端子１６３および外部フラッシュ検知用端子１６４を有しており、外部フラッシュ３００の各端子と接触する。これにより、カメラ本体１００と外部フラッシュ３００が同期できるようになっており、シャッターの動作タイミング（あるいは、ＣＭＯＳイメージセンサー１１０の電荷蓄積タイミング）に連動して外部フラッシュ３００を発光させることができる。内部メイン光源１９１および内部補助光源１９２を小型にすると、これらの発光量が小さくなり、遠くの被写体に光が十分に届かないことがあるが、発光量の大きい外部フラッシュ３００を装着可能とすることで、ユーザーの撮影自由度を確保している。
【００２８】
（１−３：レンズユニットの構成）
レンズユニット２００は、光学系とレンズコントローラー２４０とレンズマウント２５０と絞りユニット２６０とレンズ筒２９０とを備える。レンズユニット２００の光学系はズームレンズ２１０、ＯＩＳレンズ２２０、および、フォーカスレンズ２３０を含む。光学系は、レンズ筒２９０の内部に収容されている。また、レンズ筒の外部には、ズームリング２１３とフォーカスリング２３４とＯＩＳスイッチ２２４とが設けられている。
ズームレンズ２１０は、レンズユニット２００の光学系で形成される被写体の光学像（以下、被写体像ともいう）の倍率、すなわち、光学系の焦点距離を変化させるためのレンズである。ズームレンズ２１０は、１枚または複数枚のレンズで構成される。ズームレンズ２１０は、光学系の第１レンズ群Ｌ１と第２レンズ群Ｌ２とを含む。ズームレンズ２１０が光軸ＡＸと平行な方向に移動することにより、光学系の焦点距離が変化する。
【００２９】
ズームリング２１３は筒状の部材であり、レンズ筒２９０の外周面で回転可能である。ズームリング２１３は、焦点距離を操作するズーム操作部の一例であり、操作後の位置に応じて焦点距離が決定されるズーム操作部の一例である。
駆動機構２１１は、ユーザーによりズームリング２１３が操作されると、当該操作をズームレンズ２１０に伝え、ズームレンズ２１０を光学系の光軸ＡＸ方向に沿って移動させる。
検出器２１２は、駆動機構２１１における駆動量を検出する。レンズコントローラー２４０および／またはカメラコントローラー１４０は、この検出器２１２における検出結果を取得することにより、光学系における焦点距離を把握することができる。また、レンズコントローラー２４０および／またはカメラコントローラー１４０は、この検出器２１２における検出結果を取得することにより、ズームレンズ（Ｌ１，Ｌ２等）のレンズユニット２００内での光軸ＡＸ方向の位置を把握することができる。なお、駆動機構２１１は、ズームレンズ２１０を光軸ＡＸ方向に沿って移動できればよい。例えば、駆動機構２１１は、ズームリング２１３等の操作部の回転位置に従ってモータ等の駆動力発生部からの駆動力をズームレンズ２１０に伝え、ズームレンズ２１０をズームリング２１３の回転位置に対応する光軸ＡＸ方向の位置に移動するものであってもよい。
【００３０】
ＯＩＳレンズ２２０は、レンズユニット２００の光学系で形成される被写体像のぶれを補正するためのレンズである。ＯＩＳレンズ２２０は、デジタルカメラ１のぶれによって生じる被写体像のぶれを補正する。ＯＩＳレンズ２２０がデジタルカメラ１のぶれを相殺する方向にＯＩＳレンズ２２０を移動させることにより、ＣＭＯＳイメージセンサー１１０と被写体像との相対的なぶれを小さくする。ＯＩＳレンズ２２０は、１枚または複数枚のレンズで構成される。アクチュエータ２２１は、ＯＩＳ用ＩＣ２２３により制御され、光学系の光軸ＡＸに垂直な面内でＯＩＳレンズ２２０を駆動する。
アクチュエータ２２１は、例えば、マグネットと平板コイルとで実現可能である。位置検出センサー２２２は、光学系の光軸ＡＸに垂直な面内におけるＯＩＳレンズ２２０の位置を検出するセンサーである。位置検出センサー２２２は、例えば、マグネットとホール素子で実現可能である。ＯＩＳ用ＩＣ２２３は、位置検出センサー２２２の検出結果およびジャイロセンサーなどのぶれ検出器の検出結果に基づいて、アクチュエータ２２１を制御する。ＯＩＳ用ＩＣ２２３は、レンズコントローラー２４０からぶれ検出器の検出結果を得る。また、ＯＩＳ用ＩＣ２２３は、レンズコントローラー２４０に対して、光学的像ぶれ補正処理の状態を示す信号を送信する。
【００３１】
なお、ＯＩＳレンズ２２０は、ぶれ補正部の一例である。デジタルカメラ１のぶれによって生じる被写体像のぶれを補正する手段として、ＣＭＯＳイメージセンサー１１０からの画像データに基づいて補正した画像データを生成する電子式ぶれ補正を適用してもよい。また、デジタルカメラ１のぶれによって生じるＣＭＯＳイメージセンサー１１０と被写体像との相対的なぶれを小さくする手段として、ＣＭＯＳイメージセンサー１１０を光学系の光軸ＡＸと平行な垂直な面内で駆動する構成としてもよい。
ＯＩＳスイッチ２２４は、ＯＩＳを操作するための操作部の一例である。ＯＩＳスイッチ２２４をＯＦＦにするとＯＩＳレンズ２２０は動作しない。ＯＩＳスイッチ２２４をＯＮにするとＯＩＳレンズ２２０は動作可能となる。
フォーカスレンズ２３０は、光学系がＣＭＯＳイメージセンサー１１０上に形成する被写体像のフォーカス状態を変化させるためのレンズである。フォーカスレンズ２３０は、１枚または複数枚のレンズで構成される。ズームレンズ２１０は、光学系の光軸ＡＸと平行な方向に移動することにより被写体像のフォーカス状態を変化させる。
【００３２】
フォーカスモータ２３３は、レンズコントローラー２４０の制御に基づいて、フォーカスレンズ２３０が光学系の光軸ＡＸに沿って進退するよう駆動する。これにより、光学系によりＣＭＯＳイメージセンサー１１０上に形成される被写体像のフォーカス状態を変化させることができる。フォーカスモータ２３３は、ズームレンズ２１０の駆動から独立してフォーカスレンズ２３０を駆動することができる。具体的には、フォーカスモータ２３３は、第２レンズ群Ｌ２を基準に、フォーカスレンズ２３０を光軸ＡＸ方向に駆動する。言い換えると、フォーカスモータ２３３は、第２レンズ群Ｌ２とフォーカスレンズ２３０との光軸ＡＸ方向の相対距離を変更可能である。フォーカスレンズ２３０とフォーカスモータ２３３とは第２レンズ群Ｌ２とともに光軸ＡＸ方向に移動する。従って、ズーム動作により第２レンズ群Ｌ２が光軸ＡＸ方向に移動すると、フォーカスレンズ２３０およびフォーカスモータ２３３も光軸ＡＸ方向に移動する。また、第２レンズ群Ｌ２が光軸ＡＸ方向に静止している状態でも、フォーカスモータ２３３は第２レンズ群Ｌ２を基準に、フォーカスレンズ２３０を光軸ＡＸ方向に駆動することができる。フォーカスモータ２３３は、ＤＣモータやステッピングモータ、サーボモータ、超音波モータなどによって実現できる。
【００３３】
相対位置検出器２３１および絶対位置検出器２３２は、フォーカスレンズ２３０の駆動状態を示す信号を生成するエンコーダである。相対位置検出器２３１は、磁気スケールと磁気センサーとを有し、磁気の変化を検出し磁気の変化に応じた信号を出力する。磁気センサーは、例えばＭＲセンサーである。絶対位置検出器２３２は、第２レンズ群Ｌ２に対するフォーカスレンズ２３０の原点位置を検出する原点検出器である。絶対位置検出器２３２は、例えばフォトセンサである。レンズコントローラー２４０は、絶対位置検出器２３２からの信号によりフォーカスレンズ２３０が原点にあることを認識する。このとき、レンズコントローラー２４０は、内部に設けたカウンタ２４３の値をリセットする。このカウンタ２４３は、相対位置検出器２３１から出力される信号により磁気変化の極値をカウントする。これにより、レンズコントローラー２４０は、絶対位置である原点位置からの相対位置を検出することにより、第２レンズ群Ｌ２に対するフォーカスレンズ２３０の光軸ＡＸ方向の位置を把握可能である。また、上述のとおり、レンズコントローラー２４０は、第２レンズ群Ｌ２のレンズユニット２００内での光軸ＡＸ方向の位置を把握可能である。従って、レンズコントローラー２４０は、フォーカスレンズ２３０のレンズユニット２００内での光軸ＡＸ方向の位置を把握可能である。
【００３４】
絞りユニット２６０は、光学系を透過する光の量を調整する光量調整部材である。絞りユニット２６０は、光学系を透過する光の光線の一部を遮蔽可能な絞り羽根と、絞り羽根を駆動しその遮蔽量を変更して光量を調整する絞り駆動部とを有する。カメラコントローラー１４０は、ＣＭＯＳイメージセンサー１１０が受けた光の量、静止画撮影を行うのか動画撮影を行うのか、絞り値が優先的に設定される操作がされているか等に基づいて、絞りユニット２６０に動作を指示する。
レンズコントローラー２４０は、カメラコントローラー１４０からの制御信号に基づいて、ＯＩＳ用ＩＣ２２３やフォーカスモータ２３３などのレンズユニット２００の各部を制御する。また、検出器２１２、ＯＩＳ用ＩＣ２２３、相対位置検出器２３１、絶対位置検出器２３２などから信号を受信して、カメラコントローラー１４０に送信する。レンズコントローラー２４０は、カメラコントローラー１４０との送受信を、レンズマウント２５０およびボディマウント１５０を介して行う。レンズコントローラー２４０は、制御の際、ＤＲＡＭ２４１をワークメモリとして使用する。また、フラッシュメモリ２４２は、レンズコントローラー２４０の制御の際に使用するプログラムやパラメータを保存する。
【００３５】
（１−４：外部フラッシュ）
図６は、外部フラッシュ３００（閃光装置の一例）を装着したデジタルカメラ１のブロック図である。外部フラッシュ３００は、外部メイン光源３０１と、外部補助光源３０２と、フラッシュコントローラー３０３と、ホットシューマウント３０４と、電源３０５とを備える。
ホットシューマウント３０４は、カメラ本体１００のホットシュー１６１に装着される。ホットシューマウント３０４は、データ信号端子３６２、ＸＳＷ信号端子３６３、外部フラッシュ検知用端子３６４を有しており、各端子３６２、３６３、３６４は、カメラ本体１００のデータ信号端子１６２、ＸＳＷ信号端子１６３、外部フラッシュ検知用端子１６４とそれぞれ接触する。データ信号端子３６２とＸＳＷ信号端子３６３とは、フラッシュコントローラー３０３に接続されている。外部フラッシュ検知用端子３６４は、電気的なグラウンドに接続されている。
【００３６】
フラッシュコントローラー３０３は、外部メイン光源３０１、外部補助光源３０２等、外部フラッシュ３００の各部を制御する。外部メイン光源３０１はフラッシュコントローラー３０３の制御により白色の閃光を発する。外部補助光源３０２はフラッシュコントローラー３０３の制御により赤色を含む可視光の光を発する。本実施形態では、分光特性の強度のピーク値の波長が６１２ｎｍの光を発する。電源３０５は、外部フラッシュ３００の各部に電力を供給する。
外部フラッシュ３００がカメラ本体１００に装着されると、外部フラッシュ検知用端子１６４と外部フラッシュ検知用端子３６４とが電気的に接続される。そして、カメラコントローラー１４０の外部フラッシュ検出部１４４は、外部フラッシュ検知用端子１６４の電圧がグラウンドレベルになったことを検知することにより、外部フラッシュ３００がホットシュー１６１に装着されているかどうかを判断する。
【００３７】
図７は、比較例の外部フラッシュ４００（閃光装置の一例）を装着したデジタルカメラ１のブロック図である。この外部フラッシュ４００は、外部補助光源４０２の発する光が近赤外光であるものが多い。これは、近赤外光のように長波長の光の方が減衰しにくく、より遠くまで届きやすいためであり、さらに、近赤外光のように長波長の光の方が一眼レフレックスカメラで一般的に用いられる位相差検出ユニットの検知感度も高いためである。また、近赤外光を用いる理由として、人間がまぶしいと感じにくいことも挙げられる。なお、近赤外光とは、例えば、波長が約７００ｎｍ以上の光を言い、具体的には、分光特性のエネルギー強度のピーク値の波長が約７００ｎｍ以上の光を言う。また、分光特性とは、発光した光が有する波長別にみたエネルギー強度分布を言う。分光特性は、発光スペクトルとも呼ばれている。
【００３８】
なお、外部フラッシュ３００の外部補助光源３０２は、比較例の外部フラッシュ４００の外部補助光源４０２が発する光の波長よりも短い波長の光を発する点が特徴的である。
（１−５：カメラコントローラー）
前述のように、カメラコントローラー１４０は、様々な機能を有している。例えば、図３に示すように、カメラコントローラー１４０は、外部フラッシュ検出部１４４と、外部フラッシュ判断部１４５（閃光装置判断部の一例）と、補助光判断部１４６（補助光判断部の一例）と、発光動作制御部１４７と、を有している。
外部フラッシュ検出部１４４は、ホットシュー１６１に外部フラッシュが装着されているかどうかを判断する。具体的には、外部フラッシュ検出部１４４は、外部フラッシュ検知用端子１６４の電圧を検知することにより、外部フラッシュ３００がホットシュー１６１に装着されているかどうかを判断する。外部フラッシュ検出部１４４は、外部フラッシュ検知用端子１６４の電圧がグラウンドレベルであれば、外部フラッシュがホットシュー１６１に装着されていると判断し、外部フラッシュ検知用端子１６４の電圧がグラウンドレベルよりも高ければ、外部フラッシュがホットシュー１６１に装着されていないと判断する。
【００３９】
外部フラッシュ判断部１４５は、ホットシュー１６１に装着されている外部フラッシュがビデオＡＦに対応しているかどうかを判断する。具体的には、外部フラッシュにはフラッシュコントローラーが搭載されており、フラッシュコントローラーの所定のアドレスには、外部フラッシュがビデオＡＦに対応しているかどうかを示すビデオＡＦ情報（仕様特定情報の一例）が格納されている。外部フラッシュ判断部１４５は、フラッシュコントローラーからビデオＡＦ情報を取得し、取得したビデオＡＦ情報に基づいて外部フラッシュがビデオＡＦに対応しているかどうかを判断する。
より詳細には、外部フラッシュがビデオＡＦに対応している場合、ビデオＡＦ情報は「ビデオＡＦ対応」を示すデータを含んでおり、外部フラッシュがビデオＡＦに対応していない場合、ビデオＡＦ情報は「ビデオＡＦ非対応」を示すデータを含んでいる。外部フラッシュは、外部メイン光源および外部補助光源を有しており、ビデオＡＦ情報がビデオＡＦ対応の場合は、外部補助光源がビデオＡＦに対応していることを意味しており、ビデオＡＦ情報がビデオＡＦ非対応の場合は、外部補助光源がビデオＡＦに対応していないことを意味している。本実施形態では、カメラ本体１００は光学フィルタ１１４を有しているので、外部補助光源が赤色光を発する場合は、外部補助光源がビデオＡＦに対応しており、外部補助光源が赤外光あるいは近赤外光を発する場合は、外部補助光源がビデオＡＦに対応している。
【００４０】
なお、ビデオＡＦ情報そのものがフラッシュコントローラーの特定のアドレスに格納されていない場合は、外部フラッシュ判断部１４５はフラッシュコントローラーからビデオＡＦ情報を取得できない。このような場合は、外部フラッシュがビデオＡＦに対応していないと考えられるので、外部フラッシュ判断部１４５は外部フラッシュがビデオＡＦ情報に対応していないと判断する。
補助光判断部１４６は、選択されている発光モードに基づいて補助光を使用するかどうかを判断する。発光モードの選択は、例えばカメラモニタ１２０に表示されたメニューを操作することで行われる。発光モードとしては、補助光を強制的に使用するモード（強制発光モード）、補助光の使用を禁止するモード（発光禁止モード）、補助光の使用を自動で選択するモード（自動発光モード）が考えられる。補助光判断部１４６は、強制発光モードが選択されている場合は、補助光を使用すると判断し、発光禁止モードが選択されている場合は、補助光を使用しないと判断する。さらに、自動発光モードが選択されている場合は、ＣＭＯＳイメージセンサー１１０から出力される画像データにより再現される画像の明るさが所定の基準明るさに比べて暗い場合に、補助光を使用すると判断する。また、被写体までの距離が遠い場合に補助光を使用しないと判断するようにしてもよい。
【００４１】
発光動作制御部１４７は、設定されている発光モードに応じて、内部メイン光源１９１、内部補助光源１９２あるいはホットシュー１６１に装着されている外部フラッシュを制御する。具体的には、発光モードが強制発光モードに設定されている場合は、発光動作制御部１４７は、撮影時に、内部メイン光源１９１、内部補助光源１９２あるいは外部フラッシュを発光させる。また、発光モードが自動発光モードに設定されており、かつ、画像の明るさが暗い場合は、撮影時に、内部メイン光源１９１、内部補助光源１９２あるいは外部フラッシュを発光させる。
なお、外部フラッシュ検出部１４４により外部フラッシュがホットシュー１６１に装着されていると判断されている場合、その判断結果に基づいて、発光動作制御部１４７は外部フラッシュを優先的に使用する。
【００４２】
また、発光動作制御部１４７は、補助光判断部１４６および外部フラッシュ判断部１４５の判断結果に基づいて、ビデオＡＦ中に外部フラッシュの外部メイン光源が間欠的に発光するように外部フラッシュを制御する。具体的には、補助光を使用すると補助光判断部１４６により判断されており、かつ、外部フラッシュがビデオＡＦに対応していないと外部フラッシュ判断部１４５により判断されている場合に、発光動作制御部１４７は、外部メイン光源が間欠的に発光するように外部フラッシュを制御する。間欠的に発光制御については後述する。
なお、補助光判断部１４６の判断結果は第１判断結果の一例であり、外部フラッシュ検出部１４４の判断結果は第２判断結果の一例である。
（２：オートフォーカス）
（２−１：ビデオＡＦ）
カメラ本体１００は、一眼レフレックスカメラとは異なり、ミラーボックス装置を有しておらず、さらに、ミラーボックス装置によって導かれた光を受けて位相差式のオートフォーカス（以下、ＡＦとも言う）を行う位相差検出ユニットも有していない。そこで、カメラ本体１００は、ＣＭＯＳイメージセンサー１１０により得られた画像データに基づいてＡＦを行う。具体的には、フォーカスレンズ２３０の位置を変えてＣＭＯＳイメージセンサー１１０から逐次画像データが出力され、各画像データに基づいてコントラストの評価値が算出される。算出された評価値で最も大きい評価値に対応するフォーカスレンズ２３０の位置にフォーカスレンズ２３０を移動させることで、合焦状態を調整することができる。このようなＡＦを、ここではビデオＡＦと定義する。
【００４３】
上記のようなビデオＡＦでは、被写体が暗いと、取得された画像データで再現される画像のコントラストが低くなってしまい、ビデオＡＦの精度を確保できる評価値が得られにくい。
そこで、画像データに基づいて被写体が暗い場合には、内部補助光源１９２を発光し、被写体を照射することが考えられる。図８は、光学フィルタ１１４の分光透過率と補助光の分光特性を示す図である。内部補助光源１９２は、光学フィルタ１１４でカットされない光を発する。具体的には、光学フィルタ１１４は赤色光よりも波長の長い光（主に近赤外光）をカットするが、内部補助光源１９２は、光学フィルタ１１４にカットされにくい赤色光を発する。したがって、内部補助光源１９２によって被写体に照射され被写体で反射した光は、光学フィルタ１１４を透過し、ＣＭＯＳイメージセンサー１１０に届く。
【００４４】
（２−２：外部フラッシュ装着時）
内部メイン光源１９１および内部補助光源１９２は、小型化により、光量が制限されている。そのため、撮影地点から被写体が遠くて内部メイン光源１９１または内部補助光源１９２の光が被写体に届かない場合、または、被写体を十分に明るく照らすことができない場合には、外部フラッシュ３００のような外付けの閃光装置が用いられる。外付けの閃光装置であれば、カメラ本体１００を大型化することなく、光量が多い大型の光源を用いることができ、十分な光量を確保することができる。
カメラ本体１００に対応した外部フラッシュ３００には、光学フィルタ１１４でカットされにくい光を発する外部補助光源３０２が採用されている。具体的には、外部補助光源３０２は、光学フィルタ１１４でカットされにくい赤色光を発する。このため、例えばＡＦ時に外部補助光源３０２を用いても、正確に評価値を算出することができ、ＡＦ動作の精度を確保することができる。したがって、ビデオＡＦに対応した外部フラッシュ３００がカメラ本体１００に装着された場合であって、評価値の取得に補助光が必要と判断した場合には、ビデオＡＦ中に外部補助光源３０２が発光するようにカメラコントローラー１４０により外部フラッシュ３００が制御される。
【００４５】
ところが、比較例としての外部フラッシュ４００では、外部補助光源４０２の発する光が近赤外光である。そのため、外部補助光源４０２を使用すると、外部補助光源４０２で照らされた被写体からレンズユニット２００に入射する光が光学フィルタ１１４でカットされ、ＣＭＯＳイメージセンサー１１０に十分な量の光が到達しない。このように、外部フラッシュ４００を用いてビデオＡＦを行うと、ＡＦの精度が低下するおそれがある。つまり、外部フラッシュ３００とは異なり、外部フラッシュ４００はビデオＡＦに対応していない閃光装置であると言える。
そこで、本実施形態のカメラ本体１００は、ビデオＡＦに対応していない外部フラッシュ４００が装着された場合に、外部補助光源４０２を使用せず、外部メイン光源３０１を使用してビデオＡＦを行う。図９は、ビデオＡＦ時の補助光の使用に関するフローチャートである。
【００４６】
レリーズ釦１３１が押されてビデオＡＦが開始されると（ステップＳ０１）、カメラコントローラー１４０は補助光を使用するかどうかを判断する（ステップＳ０２）。具体的には、補助光を使用するかどうかは、補助光判断部１４６により判断される。例えば、補助光判断部１４６は、フラッシュを強制的に使用するモード（強制発光モード）が設定されている場合は補助光を使用すると判断し、フラッシュの使用を禁止するモード（発光禁止モード）が設定されている場合は補助光を使用しないと判断する。さらに、フラッシュの使用を自動で選択するモード（自動発光モード）が設定されている場合は、ＣＭＯＳイメージセンサー１１０から出力される画像データにより再現される画像の明るさが所定の基準明るさに比べて暗い場合に、補助光判断部１４６は補助光を使用すると判断する。また、被写体までの距離が遠い場合には補助光を使用しないと判断してもよい。補助光を使用しないと補助光判断部１４６が判断した場合（ステップＳ０２でＮｏの場合）は、補助光を使用せずにビデオＡＦを行う（ステップＳ０３）。具体的には、この場合のビデオＡＦにおいては、発光動作制御部１４７による光源の制御は行われない。
【００４７】
一方、補助光を使用すると補助光判断部１４６が判断した場合（ステップＳ０２でＹｅｓ）、カメラコントローラー１４０は、カメラ本体１００に外部フラッシュがホットシュー１６１に装着されているかどうかを判断する（ステップＳ０４）。具体的には、ホットシュー１６１に外部フラッシュが装着されているかどうかが外部フラッシュ検出部１４４により判断される。外部フラッシュが装着されていないと外部フラッシュ検出部１４４が判断した場合（ステップＳ０４でＮｏの場合）、発光動作制御部１４７は内部補助光源１９２を発光させ、カメラコントローラー１４０は被写体に光を照らした状態でビデオＡＦを行う（ステップＳ０５）。ここでは、被写体に内部補助光源１９２の光を照射した状態で評価値を算出するため、評価値が最も大きくなったフォーカスレンズ２３０の位置においては、内部補助光源１９２の光（以下、内部補助光とも言う）の焦点がＣＭＯＳイメージセンサー１１０の撮像面に位置することになる。
【００４８】
しかし、実際に画像データを取得する際には内部補助光を用いないため、実際の撮影時の光の波長とビデオＡＦを行ったときの光の波長とが異なることになる。光の波長によって焦点位置が異なっているため、内部補助光の焦点位置と撮影時の光の焦点位置は異なっている。
従って、撮影時の光の焦点がＣＭＯＳイメージセンサー１１０の撮像面に位置するように補正する必要がある。図１０（Ａ）および（Ｂ）を用いて詳細に説明する。図１０（Ａ）は補助光使用時の合焦位置補正の概念図である。図１０（Ａ）は、内部補助光の場合、または、ビデオＡＦ対応の外部補助光の場合の合焦位置補正の概念図である。
図１０（Ａ）に示すように、レンズユニット２００においては、撮影時に使用される光として、所定の波長の基準光が決定されており、ズームレンズ２１０の位置およびフォーカスレンズ２３０の位置に応じてそれぞれ内部補助光の焦点位置と基準光の焦点位置とのずれ量が設計値として算出または測定されている。レンズユニット２００は、内部補助光の焦点位置と基準光の焦点位置とのずれを補正するためにフォーカスレンズ２３０を移動する量（以下、第１補正量とも言う）Ｘ１を、ズームレンズ２１０の位置およびフォーカスレンズ２３０の位置に応じてそれぞれ記憶している。第１補正量Ｘ１は、言い換えると、内部補助光がＣＭＯＳイメージセンサー１１０に合焦している状態からフォーカスレンズ２３０をどれだけ移動すれば基準光がＣＭＯＳイメージセンサー１１０に合焦するかを示す情報である。カメラコントローラー１４０の補正部１４８は、例えばレンズユニット２００が装着されたとき、または、電源がＯＮとなったときに、ズームレンズの位置およびフォーカスレンズ２３０の位置と第１補正量Ｘ１との関係に関するデータをレンズユニット２００のレンズコントローラー２４０から取得する。そして、内部補助光を被写体に照射してビデオＡＦを行う際（ステップＳ０５）、評価値が最大値となったフォーカスレンズ２３０の位置から、その際のズームレンズ位置、フォーカスレンズ２３０位置に応じた第１補正量Ｘ１だけフォーカスレンズ２３０を移動する。これにより、基準光がＣＭＯＳイメージセンサー１１０に合焦する。なお、基準光としては、例えば、蛍光灯の光や太陽光の分光特性が高い波長を設定する。例えば、基準光としては緑の光が考えられる。
【００４９】
図９に戻って、外部フラッシュが装着されていると外部フラッシュ検出部１４４が判断した場合（ステップＳ０４でＹｅｓの場合）、外部フラッシュ判断部１４５は、外部フラッシュがビデオＡＦに対応しているかどうかを判断する（ステップＳ０６）。具体的には、例えば、フラッシュコントローラー３０３にビデオＡＦ情報を予め記憶させておき、外部フラッシュ判断部１４５はこの情報をフラッシュコントローラー３０３に要求する。外部フラッシュ判断部１４５は、受信したビデオＡＦ情報がビデオＡＦ対応を示す場合は、装着されている外部フラッシュがビデオＡＦに対応している（ステップＳ０６でＹｅｓ）と判断し、ビデオＡＦ情報がビデオＡＦ非対応を示す場合、または、外部フラッシュ判断部１４５がビデオＡＦ情報を取得できなかった場合は、装着されている外部フラッシュがビデオＡＦに対応していない（ステップＳ０６でＮｏ）と判断する。ビデオＡＦ情報は、外部補助光源の光が近赤外光の場合にビデオＡＦ非対応に設定されており、外部補助光源の光が赤色の光を含む可視光の場合にビデオＡＦ対応に設定されている。つまり、ビデオＡＦ情報は、近赤外光を発する外部補助光源を外部フラッシュが有しているか否かを判断するための光源特定情報とも言える。ビデオＡＦ情報がビデオＡＦ非対応の場合、近赤外光を発する外部補助光源を外部フラッシュが有していると判断することができ、ビデオＡＦ情報がビデオＡＦ非対応の場合、近赤外光を発する外部補助光源を外部フラッシュが有していないと判断することができる。
【００５０】
外部フラッシュがビデオＡＦに対応していると判断した場合（ステップＳ０６でＹｅｓの場合）、例えば、外部フラッシュ３００が装着された場合、カメラコントローラー１４０はフラッシュコントローラー３０３に外部補助光源３０２を発光させるよう指令を下し、その指令に基づき、フラッシュコントローラー３０３は外部補助光源３０２を発光させる。被写体に光を照らした状態でビデオＡＦを行う（ステップＳ０７）。このとき、内部補助光を使用したビデオＡＦ（ステップＳ０５）と同様に、第１補正量Ｘ１を用いて外部補助光源３０２の光の合焦位置と基準光の合焦位置との間に生じるずれを補正する。
外部フラッシュがビデオＡＦに対応していないと判断した場合（ステップＳ０６でＮｏの場合）、例えば、ホットシュー１６１に外部フラッシュ４００が装着されている場合、発光動作制御部１４７はフラッシュコントローラー３０３を介して外部メイン光源３０１を間欠的に発光させ、被写体に光を間欠的に照射した状態でビデオＡＦが行われる（ステップＳ０８）。具体的には、この外部メイン光源３０１の間欠発光は、評価値を算出するための画像データの取得と同期しており、画像データを取得するための露光期間の間、継続される。
【００５１】
外部メイン光源３０１の間欠的に発光（ステップＳ０８）の具体例について図１１を用いて詳細に説明する。図１１は、ビデオＡＦ時の外部メイン光源３０１の間欠的に発光のタイミングチャートである。
カメラコントローラー１４０は、３０Ｈｚ、６０Ｈｚ等の所定の周期で映像同期信号を発生する。タイミング発生器１１２は、映像同期信号に同期してＣＭＯＳイメージセンサー１１０の動作を制御する。ＣＭＯＳイメージセンサー１１０は、映像同期信号の周期で、露光による電荷の蓄積と電荷の読み出しを行う。具体的には、ＣＭＯＳイメージセンサー１１０の上のラインから電荷の蓄積と電荷の読み出しを行う。電荷の読み出しのタイミング、すなわち、電荷の蓄積の開始のタイミングは、上のラインから時間をずらして逐次行われる。
【００５２】
ＣＭＯＳイメージセンサー１１０の一部の領域（ＡＦ領域）の画像データに基づいて評価値を算出する場合、カメラコントローラー１４０は、ＡＦ領域が含まれるラインを抽出し、これらのラインに同じ時間だけ外部メイン光源３０１の光があたるように外部メイン光源３０１の発光開始時間と発光期間を設定する。発光開始時間は、例えば、抽出されたラインのうち、最も遅く電荷の蓄積を開始するラインの電荷蓄積開始時間とする。発光期間は、例えば、電荷蓄積開始時間から、抽出されたラインのうち、最も早く電荷の蓄積を終了するラインの電荷蓄積終了時間（電荷読み出し開始時間）までの期間とする。カメラコントローラー１４０は発光開始時間をパルス信号で表したＸＳＷ信号をＸＳＷ信号端子１６３とＸＳＷ信号端子３６３とを介してフラッシュコントローラー３０３に送る。また、発光期間に関する情報をビデオＡＦ開始前にデータ信号端子１６２とデータ信号端子３６２とを介してフラッシュコントローラー３０３に送る。
【００５３】
フラッシュコントローラー３０３は、ビデオＡＦ開始前に、発光期間に関する情報に基づいて、タイマーの上限値Ｎｓを設定する。そして、ＸＳＷ信号を受け取ると、外部メイン光源３０１の発光を開始し、タイマーのカウントを開始する。タイマーが上限値Ｎｓになると、外部メイン光源３０１の発光を終了し、タイマーをリセットする。このようにして、外部メイン光源３０１は間欠的に発光する。
ＡＦ領域の画像データを取得したのち、このデータに基づいてカメラコントローラー１４０は評価値を算出する。ＡＦ領域の露光期間（電荷蓄積期間）に外部メイン光源３０１が発光することにより、評価値として十分なものを取得することができる。
ビデオＡＦが終了すると、カメラコントローラー１４０は、間欠的に発光を終了するとの情報をデータ信号端子１６２とデータ信号端子３６２とを介してフラッシュコントローラー３０３に送る。フラッシュコントローラー３０３は、間欠的に発光の制御モードを終了する。
【００５４】
ステップＳ０４で外部フラッシュが装着されていると判断された場合は、ビデオＡＦ後、静止画の撮影を行うとき、カメラコントローラー１４０はフラッシュコントローラー３０３を介して外部メイン光源３０１を発光させる。なお、カメラコントローラー１４０は、発光を禁止するように外部メイン光源３０１を制御してもよい。
（３：特徴）
以上に説明したように、このカメラ本体１００では、補助光を使用すると判断した場合であって外部フラッシュの外部補助光源がビデオＡＦに対応していないと判断した場合に、外部フラッシュの外部メイン光源が間欠的に発光しながら画像データが取得されるようにＣＭＯＳイメージセンサー１１０および外部フラッシュが制御される。このため、ビデオＡＦに対応していない外部フラッシュ（例えば、外部フラッシュ４００）がカメラ本体１００に装着されたとしても、外部メイン光源を用いてビデオＡＦを行うことができ、ビデオＡＦに対応していない外部フラッシュであってもビデオＡＦの精度が低下しない。
【００５５】
また、ビデオＡＦに対応している外部フラッシュ（例えば、外部フラッシュ３００）がカメラ本体１００に装着された場合は、外部補助光源を用いてビデオＡＦを行うことができる。
つまり、このカメラ本体１００では、様々な外部フラッシュとの互換性を確保することが可能となる。
また、カメラコントローラー１４０が、補助光を使用すると判断した場合であってホットシュー１６１に装着されている外部フラッシュの外部補助光源がビデオＡＦに対応していないと判断した場合に、ＣＭＯＳイメージセンサー１１０の電荷蓄積周期に同期して外部メイン光源が間欠的に発光するように外部フラッシュを制御する。このため、評価値の精度を高めることができ、ビデオＡＦの精度を向上させることができる。
【００５６】
さらに、カメラコントローラー１４０は、外部補助光源がビデオＡＦに対応しているか否かに関するビデオＡＦ情報をホットシュー１６１に装着されている外部フラッシュから取得し、ビデオＡＦ情報に基づいて外部補助光源がビデオＡＦに対応しているか否かを判断する。
より詳細には、カメラコントローラー１４０は、ビデオＡＦ情報がビデオＡＦ対応の場合は、外部補助光源がビデオＡＦに対応していると判断し、ビデオＡＦ情報がビデオＡＦ非対応の場合は、外部補助光源がビデオＡＦに対応していないと判断する。また、ビデオＡＦに対応していない外部フラッシュはビデオＡＦ情報を有していない可能性が高いことを考慮して、カメラコントローラー１４０は、ビデオＡＦ情報が外部フラッシュから取得できない場合は、外部補助光源がビデオＡＦに対応していないと判断する。
【００５７】
以上の構成により、外部フラッシュがビデオＡＦに対応しているか否かを正確に判断することができる。また、もともとビデオＡＦ対応を考慮していない外部フラッシュが装着されても、補助光が必要な撮影状況においてカメラ本体１００でのビデオＡＦの精度を確保することができる。
＜第２実施形態＞
第１実施形態のカメラ本体１００と異なる点を中心に説明し、第１実施形態と共通する部分の説明を省略する。なお、第１実施形態と実質的に同一の機能を有する構成については同一の符号を付す。以下、第２実施形態に係るカメラ本体１００は、ビデオＡＦに対応していない外部フラッシュが装着された場合の動作が第１実施形態のカメラ本体１００と異なる。他の構成等については、第１実施形態と同様である。
【００５８】
図１２は、第２実施形態に係るビデオＡＦ時の補助光の使用に関するフローチャートである。ステップＳ０１からステップＳ０７までの動作は、第１実施形態と同じである。
図１２に示すように、外部フラッシュがビデオＡＦに対応していないと判断した場合（ステップＳ０６でＮｏの場合）、例えば、外部フラッシュ４００がホットシュー１６１に装着されたとすると、カメラコントローラー１４０はフラッシュコントローラー３０３を介して外部補助光源４０２を発光させ、被写体に外部補助光源４０２の光を照射した状態でビデオＡＦを行う（ステップＳ０９）。外部補助光源４０２の光は、近赤外光である可能性が高いため、被写体からの光の多くは光学フィルタ１１４でカットされる。そして、光学フィルタ１１４を透過した光は少ないため、ＣＭＯＳイメージセンサー１１０で取得される画像データで再現される画像は明るくない。
【００５９】
そこで、ＣＭＯＳイメージセンサー１１０は、ビデオＡＦ時の赤色のカラーフィルターが配置された画素からの信号を静止画撮影時よりも強調する。具体的には、静止画撮影時において、青色のカラーフィルターが配置された画素から出力される信号の増幅率（以下、青の増幅率とも言う）に対する赤色のカラーフィルターが配置された画素から出力される信号の増幅率（以下、赤の増幅率とも言う）の比よりも、ビデオＡＦ時の青の増幅率に対する赤の増幅率の比を大きくする。また、静止画撮影時において、緑色のカラーフィルターが配置された画素から出力される信号の増幅率（以下、緑の増幅率とも言う）に対する赤の増幅率の比よりも、ビデオＡＦ時の緑の増幅率に対する赤の増幅率の比を大きくする。青の増幅率および緑の増幅率を抑えて画像データのノイズの発生を抑えつつ、赤の増幅率を大きくすることで、外部補助光源４０２の光を用いて生成された被写体の画像データに基づく評価値の精度を高めることができる。なお、別の方法として、赤色のカラーフィルターが配置された画素からの信号のみを用い、その他の色（青色および緑色）のカラーフィルターが配置された画素からの信号を用いないで、画像データを生成し、評価値を算出してもよい。
【００６０】
評価値が最大となるフォーカスレンズ２３０の位置においては、近赤外光の可能性が高い外部補助光源４０２の光がＣＭＯＳイメージセンサー１１０に合焦している。そのため、撮影時の光の焦点がＣＭＯＳイメージセンサー１１０の撮像面に位置するように補正する必要がある。図１０（Ｂ）を用いて詳細に説明する。図１０（Ｂ）は、ビデオＡＦ非対応の外部補助光の場合の合焦位置補正の概念図である。
レンズユニット２００は、第１補正量Ｘ１の他、第２補正量Ｘ２も記憶している。ズームレンズの位置およびフォーカスレンズ２３０の位置に応じてそれぞれ近赤外光と基準光の焦点位置のずれ量が設計値として算出または測定されている。そして、レンズユニット２００は、近赤外光と基準光との焦点位置のずれを補正するためにフォーカスレンズ２３０を移動する量（以下、第２補正量とも言う）Ｘ２を、ズームレンズの位置およびフォーカスレンズ２３０の位置に応じてそれぞれ記憶している。第２補正量Ｘ２は、言い換えると、近赤外光がＣＭＯＳイメージセンサー１１０に合焦している状態からフォーカスレンズ２３０をどれだけ移動すれば基準光がＣＭＯＳイメージセンサー１１０に合焦するかの情報である。カメラコントローラー１４０は、例えばレンズユニット２００が装着されたとき、または、電源がＯＮとなったときに、ズームレンズの位置およびフォーカスレンズ２３０の位置と第２補正量Ｘ２との関係に関するデータをレンズユニット２００のレンズコントローラー２４０から取得する。そして、ビデオＡＦ非対応の外部フラッシュ４００の外部補助光源４０２の光を被写体に照射してビデオＡＦを行う際（ステップＳ０９）、評価値が最大値となったフォーカスレンズ２３０の位置から、その際のズームレンズ位置、フォーカスレンズ２３０位置に応じた第２補正量Ｘ２だけフォーカスレンズ２３０を移動する。これにより、基準光がＣＭＯＳイメージセンサー１１０に合焦する。
【００６１】
本実施形態によれば、ビデオＡＦに対応していない外部フラッシュ４００をカメラ本体１００に装着してビデオＡＦを行うことが可能となる。従って、外部フラッシュとの互換性を有するビデオＡＦ対応の交換レンズ式のデジタルカメラを提供することが可能である。
＜第３実施形態＞
第１実施形態のカメラ本体１００と異なる点を中心に説明し、第１実施形態と共通する部分の説明を省略する。なお、第１実施形態と実質的に同一の機能を有する構成については同一の符号を付す。以下、第３実施形態に係るカメラ本体１００は、ビデオＡＦに対応していない外部フラッシュが装着された場合の動作が第１実施形態のカメラ本体１００と異なる。他の構成等については、第１実施形態と同様である。
【００６２】
図１３は、第３実施形態に係るビデオＡＦ時の補助光の使用に関するフローチャートである。ステップＳ０１からステップＳ０７までの動作は、第１実施形態と同じである。
図１３に示すように、補助光を使用すると判断した場合であって外部フラッシュがビデオＡＦに対応していないと外部フラッシュ判断部１４５が判断した場合（ステップＳ０６でＮｏの場合）、発光動作制御部１４７はビデオＡＦ中に内部メイン光源１９１を間欠的に発光させ、カメラコントローラー１４０は被写体に光を間欠的に照射した状態でビデオＡＦを行う（ステップＳ１０）。具体的には、第１実施形態のステップＳ０８において外部メイン光源３０１の間欠発光に代えて内部メイン光源１９１の間欠発光を行い、その他は第１実施形態のステップＳ０８と同様の動作を行う。内部メイン光源１９１の間欠発光は、ＣＭＯＳイメージセンサー１１０の電荷蓄積周期と同期している。
【００６３】
この場合であっても、ビデオＡＦに対応していない外部フラッシュをカメラ本体１００に装着してビデオＡＦを行うことが可能となる。従って、様々な外部フラッシュとの互換性を確保できるカメラ本体１００を提供することが可能である。
＜第４実施形態＞
第１実施形態のカメラ本体１００と異なる点を中心に説明し、第１実施形態と共通する部分の説明を省略する。なお、第１実施形態と実質的に同一の機能を有する構成については同一の符号を付す。以下、第４実施形態に係るカメラ本体１００は、ビデオＡＦに対応していない外部フラッシュが装着された場合の動作が第１実施形態のカメラ本体１００と異なる。他の構成等については、第１実施形態と同様である。
図１４は、第４実施形態に係るビデオＡＦ時の補助光の使用に関するフローチャートである。ステップＳ０１からステップＳ０７までの動作は、第１実施形態と同じである。
【００６４】
図１４に示すように、補助光を使用する場合であって外部フラッシュがビデオＡＦに対応していない（つまり、ホットシュー１６１に装着された外部フラッシュが近赤外光を発する外部補助光源を有している）と判断した場合（ステップＳ０６でＮｏの場合）、カメラコントローラー１４０は、ビデオＡＦ中に内部補助光源１９２が連続的に発光するように内部補助光源を制御し、被写体に光を照らした状態でビデオＡＦを行う（ステップＳ１１）。具体的には、第１実施形態のステップＳ０５と同様の動作を行う。
この場合であっても、ビデオＡＦに対応していない外部フラッシュをカメラ本体１００に装着してビデオＡＦを行うことが可能となる。従って、様々な外部フラッシュとの互換性を確保できるカメラ本体１００を提供することが可能となる。
なお、本実施形態においては、内部補助光源１９２は、比較的発光量の大きい光源を用いるのが好ましい。
【００６５】
＜第５実施形態＞
第１実施形態のカメラ本体１００と異なる点を中心に説明し、第１実施形態と共通する部分の説明を省略する。なお、第１実施形態と実質的に同一の機能を有する構成については同一の符号を付す。以下、第５実施形態に係るカメラ本体１００は、ビデオＡＦに対応していない外部フラッシュが装着された場合の動作が第１実施形態のカメラ本体１００と異なる。他の構成等については、第１実施形態と同様である。
図１５は、第５実施形態に係るビデオＡＦ時の補助光の使用に関するフローチャートである。ステップＳ０１からステップＳ０７までの動作は、第１実施形態と同じである。
図１５に示すように、外部フラッシュがビデオＡＦに対応していないと判断した場合（ステップＳ０６でＮｏの場合）、例えば、外部フラッシュ４００が装着された場合、カメラコントローラー１４０は、内部メイン光源１９１（光源の一例）を（間欠的にではなく）連続的に発光し、被写体に光を照らした状態でビデオＡＦを行う（ステップＳ１２）。
【００６６】
本実施の形態では、内部メイン光源１９１は、閃光だけでなく、連続的な発光も可能である。そして、内部メイン光源１９１は、たとえば動画を撮影するとき、被写体に光を連続的に照射するビデオライトとしても機能する。
本実施形態によれば、ビデオＡＦに対応していない外部フラッシュ４００をカメラ本体１００に装着してビデオＡＦを行うことが可能となる。従って、様々な外部フラッシュとの互換性を確保できるビデオＡＦ対応のカメラ本体１００を提供することが可能である。
なお、本実施形態においては、内部補助光源１９２は、発光量の大きいものを用いるのが好ましい。
＜その他の実施の形態＞
ここに開示されている技術は、前述の実施形態に限定されない。本技術の実施形態として以下のような実施形態も考えられる。
【００６７】
（Ａ）
前述の実施形態では、内部メイン光源１９１と内部補助光源１９２との両方を有していたが、これらの一方または双方を有していなくてもよい。
（Ｂ）
前述のステップＳ０６では、外部フラッシュがビデオＡＦに対応しているか否かをビデオＡＦ情報に基づいて判断している（あるいは、外部フラッシュが近赤外光を発する外部補助光源を有しているか否かを光源特定情報に基づいて判断している）が、ビデオＡＦ情報のように特殊な情報を使わなくても、一般的な情報を用いて外部フラッシュがビデオＡＦに対応しているか否かを判断するようにしてもよい。具体的には、外部フラッシュを特定できる品番や型番などの製品特定情報に基づいて外部フラッシュがビデオＡＦに対応しているか否かを判断することが考えられる。
【００６８】
例えば、外部フラッシュのフラッシュコントローラーには、品番や型番などの製品特定情報が格納されており、カメラコントローラー１４０が、ホットシュー１６１に装着された外部フラッシュから製品特定情報を取得し、製品特定情報に基づいて外部補助光源がビデオＡＦに対応しているか否かを判断する。
この場合、カメラコントローラー１４０は、ビデオＡＦに対応している外部補助光源を有する外部フラッシュの製品特定情報を含む製品リストを記憶しており、ホットシュー１６１に装着された外部フラッシュから取得した製品特定情報が製品リストに含まれている場合には、ホットシュー１６１に装着された外部フラッシュの外部補助光源がビデオＡＦに対応していると判断し、ホットシュー１６１に装着された外部フラッシュから取得した製品特定情報が製品リストに含まれていない場合には、装着された外部フラッシュの外部補助光源がビデオＡＦに対応していないと判断する。
【００６９】
逆に、カメラコントローラー１４０が、ビデオＡＦに対応していない外部補助光源を有する外部フラッシュの製品特定情報を含む製品リストを記憶している場合も考えられる。具体的には、カメラコントローラー１４０は、ホットシュー１６１に装着された外部フラッシュから取得した製品特定情報が製品リストに含まれていない場合には、ホットシュー１６１に装着された外部フラッシュの外部補助光源がビデオＡＦに対応していると判断し、ホットシュー１６１に装着された外部フラッシュから取得した製品特定情報が製品リストに含まれている場合には、ホットシュー１６１に装着された外部フラッシュの外部補助光源がビデオＡＦに対応していないと判断する。
以上のように、製品特定情報を用いることで、前述の実施形態の場合と同様に、外部フラッシュがビデオＡＦに対応しているか否かを正確に判断することができる。ここでも、外部補助光源の光が赤色を含む可視光の場合にビデオＡＦに対応しているものとする。
【００７０】
なお、製品リストには少なくとも１つの製品特定情報が含まれて入ればよい。
（Ｃ）
実施形態では、カメラモニタ１２０とＥＶＦ１８０の両方を有していたが、カメラモニタ１２０とＥＶＦ１８０の一方のみを有する構成でもよい。
（Ｄ）
実施形態では、ＯＩＳレンズ２２０を有する構成を例示したが、これは、本発明に必須の構成ではない。すなわち、手振れ補正機能を有することのない交換レンズを装着したデジタルカメラにも本発明は適用可能である。
（Ｅ）
電気接点１５３は、ボディマウントリング１５１により保持されてもよい。例えば、電気接点１５３を、ボディマウントリング１５１の内周と外周の間に設けても良い。
【００７１】
（Ｆ）
前述の実施形態では、カメラ本体１００は、一眼レフレックスカメラとは異なり、ミラーボックス装置を有しておらず、ミラーボックス装置によって導かれた被写体光を受けて位相差式のオートフォーカス（以下、ＡＦとも言う）を行う位相差検出ユニットも有していない。
しかし、カメラ本体１００は、一眼レフレックスカメラのように、ミラーボックス装置を有してもよいし、ミラーボックス装置によって導かれた被写体光を受けて位相差式のオートフォーカス（以下、ＡＦとも言う）を行う位相差検出ユニットも有していてもよい。この場合、カメラ本体１００は、ミラーボックス装置のミラーを光路から退避し、ＣＭＯＳイメージセンサー１１０により得られた画像データに基づいてＡＦを行うビデオＡＦを行う。具体的には、フォーカスレンズ２３０の位置を変えて逐次ＣＭＯＳイメージセンサー１１０から得られる画像データからコントラストの評価値を算出するコントラストＡＦを行う。このように、一眼レフレックスカメラにおいてビデオＡＦを行う場合にも、実施形態のような動作を行い、従来の閃光装置を装着してビデオＡＦを行うことができる。
【００７２】
（Ｇ）
ステップＳ０８、ステップＳ１０、または、ステップＳ１１において、外部補助光源３０２は、発光してもしなくてもよい。
（Ｈ）
第５実施形態のステップＳ１２において、内部メイン光源１９１とは別にカメラ本体に設けた光源（たとえばビデオライト（内部光源の一例））を発光させてもよい。
＜実施形態の特徴＞
以上に説明した技術は、以下のように表現することもできる。なお、上記実施形態に含まれる技術は以下に記載の内容に限定されない。また、各特徴について記載された効果を得るために、記載された特徴以外の構成は変形または削除されてもよい。
【００７３】
（特徴１）
特徴１に記載のカメラ本体は、
着脱可能なレンズユニットを支持するボディマウントと、
被写体の光学像を撮像して画像データを生成する撮像素子と、
着脱可能な閃光装置を支持するホットシューと、
撮像素子からの画像データに基づき評価値を算出してビデオＡＦを行うカメラコントローラーと、を備え、
前記カメラコントローラーは、補助光を使用すると判断した場合であってビデオＡＦに対応していない外部補助光源を有する閃光装置が装着された場合に、当該閃光装置の外部フラッシュ光源を間欠的に発光させて前記撮像素子に画像データを取得させるように制御し、当該画像データに基づいて評価値を算出する。
【００７４】
これにより、従来の閃光装置との互換性を有するビデオＡＦ可能な交換レンズ式のデジタルカメラを提供することが可能である。
（特徴２）
特徴２に記載のカメラ本体は、特徴１に記載のカメラ本体であって、
前記カメラコントローラーは、補助光を使用すると判断した場合であってビデオＡＦに対応していない外部補助光源を有する閃光装置が装着された場合に、前記画像データ取得のための前記撮像素子の電荷蓄積周期に同期して前記閃光装置の外部フラッシュ光源を間欠的に発光させる。
これにより、被写体が暗い場合にも従来の閃光装置を使用して精度の高いビデオＡＦが可能となる。
【００７５】
（特徴３）
特徴３に記載のカメラ本体は、
着脱可能なレンズユニットを支持するボディマウントと、
被写体の光学像を撮像して画像データを生成する撮像素子と、
着脱可能な閃光装置を支持するホットシューと、
撮像素子からの画像データに基づき評価値を算出してビデオＡＦを行うカメラコントローラーと、を備え、
前記カメラコントローラーは、補助光を使用すると判断した場合であってビデオＡＦに対応していない外部補助光源を有する閃光装置が装着された場合に、当該閃光装置の外部補助光源を発光させ、赤色のカラーフィルターが配置された画素からの信号を静止画撮影時よりも強調して画像データを取得するように前記撮像素子を制御する。
【００７６】
これにより、従来の閃光装置との互換性を有するビデオＡＦ可能な交換レンズ式のデジタルカメラを提供することが可能である。
（特徴４）
特徴４に記載のカメラ本体は、特徴３に記載のカメラ本体であって、
前記カメラコントローラーは、静止画撮影時の青色のカラーフィルターが配置された画素からの信号の増幅率に対する赤色のカラーフィルターが配置された画素からの信号の増幅率の比よりもビデオＡＦ時の青色のカラーフィルターが配置された画素からの信号の増幅率に対する赤色のカラーフィルターが配置された画素からの信号の増幅率の比を大きくし、および/または、静止画撮影時の緑色のカラーフィルターが配置された画素からの信号の増幅率に対する赤色のカラーフィルターが配置された画素からの信号の増幅率の比よりもビデオＡＦ時の緑色のカラーフィルターが配置された画素からの信号の増幅率に対する赤色のカラーフィルターが配置された画素からの信号の増幅率の比を大きくするようして前記画像データを取得するに前記撮像素子を制御することで、赤色のカラーフィルターが配置された画素からの信号を静止画撮影時よりも強調して画像データを取得するように前記撮像素子を制御する。
【００７７】
これにより、画像データのノイズの増加を抑えつつ、外部補助光源の光が照射された被写体の画像データに基づく評価値の精度を高めることができる。
（特徴５）
特徴５に記載のカメラ本体は、特徴３に記載のカメラ本体であって、
前記カメラコントローラーは、赤色のカラーフィルターが配置された画素からの信号にのみ基づいて画像データを取得するように前記撮像素子を制御することで、赤色のカラーフィルターが配置された画素からの信号を静止画撮影時よりも強調して画像データを取得するように前記撮像素子を制御する。
これにより、画像データのノイズの増加を抑えつつ、外部補助光源の光が照射された被写体の画像データに基づく評価値の精度を高めることができる。
【００７８】
（特徴６）
特徴６に記載のカメラ本体は、特徴３から特徴５のいずれかに記載のカメラ本体であって、
前記カメラコントローラーは、ビデオＡＦに対応している外部補助光源を発光させビデオＡＦを行う際、ビデオＡＦに対応している外部補助光源の光と基準光との焦点位置のずれを補正し、ビデオＡＦに対応していない外部補助光源を発光させビデオＡＦを行う際、ビデオＡＦに対応していない外部補助光源の光と基準光との焦点位置のずれを補正する。
これにより、合焦精度を高めることができる。
（特徴７）
特徴７に記載のカメラ本体は、特徴３から特徴５のいずれかに記載のカメラ本体であって、
前記カメラコントローラーは、ビデオＡＦに対応している外部補助光源を発光させビデオＡＦを行う際、ビデオＡＦに対応している外部補助光源の光と基準光との焦点位置のずれを補正するためにフォーカスレンズを移動する量である第１補正量を用い、ビデオＡＦに対応していない外部補助光源を発光させビデオＡＦを行う際、ビデオＡＦに対応していない外部補助光源の光と基準光との焦点位置のずれを補正するためにフォーカスレンズを移動する量である第２補正量を用いる。
【００７９】
これにより、合焦精度を高めることができる。
（特徴８）
特徴８に記載のカメラ本体は、
着脱可能なレンズユニットを支持するボディマウントと、
被写体の光学像を撮像して画像データを生成する撮像素子と、
着脱可能な閃光装置を支持するホットシューと、
発光可能な光源と
撮像素子からの画像データに基づき評価値を算出してビデオＡＦを行うカメラコントローラーと、を備え、
前記カメラコントローラーは、補助光を使用すると判断した場合であってビデオＡＦに対応していない外部補助光源を有する閃光装置が装着された場合に、前記光源を発光させて前記撮像素子に画像データを取得させるように制御し、当該画像データに基づいて評価値を算出する。
【００８０】
これにより、従来の閃光装置との互換性を有するビデオＡＦ可能な交換レンズ式のデジタルカメラを提供することが可能である。
（特徴９）
特徴９に記載のカメラ本体は、特徴８に記載のカメラ本体であって、
前記光源は、閃光を発光可能な内部フラッシュであり、
前記カメラコントローラーは、補助光を使用すると判断した場合であってビデオＡＦに対応していない外部補助光源を有する閃光装置が装着された場合に、前記内部フラッシュを間欠的に発光させて前記撮像素子に画像データを取得させるように制御し、当該画像データに基づいて評価値を算出する。
（特徴１０）
特徴１０に記載のカメラ本体は、特徴９に記載のカメラ本体であって、
前記カメラコントローラーは、補助光を使用すると判断した場合であってビデオＡＦに対応していない外部補助光源を有する閃光装置が装着された場合に、前記画像データ取得のための前記撮像素子の電荷蓄積周期に同期して前記内部フラッシュを間欠的に発光させる。
【００８１】
（特徴１１）
特徴１１に記載のカメラ本体は、特徴８に記載のカメラ本体であって、
前記光源は、被写体に光を照射可能な内部補助光源であり、
前記カメラコントローラーは、補助光を使用すると判断した場合であってビデオＡＦに対応していない外部補助光源を有する閃光装置が装着された場合に、前記内部補助光源を発光させて前記撮像素子に画像データを取得させるように制御し、当該画像データに基づいて評価値を算出する。
（特徴１２）
特徴１２に記載のカメラ本体は、特徴１から特徴１１のいずれかに記載のカメラ本体であって、
前記カメラコントローラーは、外部補助光源がビデオＡＦに対応可能か否かに関するビデオＡＦ可否の情報を当該閃光装置から取得し、当該ＡＦ可否の情報に基づいて当該閃光装置の外部補助光源がビデオＡＦに対応しているか否かを判断する。
【００８２】
（特徴１３）
特徴１３に記載のカメラ本体は、特徴１２に記載のカメラ本体であって、
前記カメラコントローラーは、前記ビデオＡＦ可否の情報がビデオＡＦ可の場合は、前記装着された閃光装置の外部補助光源がビデオＡＦに対応可能と判断し、前記ビデオＡＦ可否の情報がビデオＡＦ否の場合、または、前記ビデオＡＦ可否の情報が取得できなかった場合は、ビデオＡＦに対応不可能と判断する。
（特徴１４）
特徴１４に記載のカメラ本体は、特徴１から特徴１１のいずれかに記載のカメラ本体であって、
前記カメラコントローラーは、装着された閃光装置の品番に関する品番情報を当該閃光装置から取得し、当該品番情報に基づいて当該閃光装置の外部補助光源がビデオＡＦに対応しているか否かを判断する。
【００８３】
（特徴１５）
特徴１５に記載のカメラ本体は、特徴１４に記載のカメラ本体であって、
前記カメラコントローラーは、ビデオＡＦに対応している外部補助光源を有する閃光装置の品番情報のリストを記憶し、前記装着された閃光装置から取得した前記品番情報が当該リストの品番情報と一致する場合には、当該装着された閃光装置の外部補助光源がビデオＡＦに対応可能と判断し、前記装着された閃光装置から取得した前記品番情報が当該リストの品番情報と一致しない場合には、当該装着された閃光装置の外部補助光源がビデオＡＦに対応不可能と判断する。
（特徴１６）
特徴１６に記載のカメラ本体は、特徴１４に記載のカメラ本体であって、
前記カメラコントローラーは、ビデオＡＦに対応していない外部補助光源を有する閃光装置の品番情報のリストを記憶し、前記装着された閃光装置から取得した前記品番情報が当該リストの品番情報と一致しない場合には、当該装着された閃光装置の外部補助光源がビデオＡＦに対応可能と判断し、前記装着された閃光装置から取得した前記品番情報が当該リストの品番情報と一致する場合には、当該装着された閃光装置の外部補助光源がビデオＡＦに対応不可能と判断する。
【００８４】
（特徴１７）
特徴１７に記載のカメラ本体は、
着脱可能なレンズユニットを支持するボディマウントと、
被写体の光学像を撮像して画像データを生成する撮像素子と、
着脱可能な閃光装置を支持するホットシューと、
撮像素子からの画像データに基づき評価値を算出してビデオＡＦを行うカメラコントローラーと、を備え、
前記カメラコントローラーは、補助光を使用すると判断した場合であって近赤外光を発する外部補助光源を有する閃光装置が装着された場合に、当該閃光装置の外部フラッシュ光源を間欠的に発光させて前記撮像素子に画像データを取得させるように制御し、当該画像データに基づいて評価値を算出する。
【００８５】
（特徴１８）
特徴１８に記載のカメラ本体は、特徴１７に記載のカメラ本体であって、
前記カメラコントローラーは、補助光を使用すると判断した場合であって近赤外光を発する外部補助光源を有する閃光装置が装着された場合に、前記画像データ取得のための前記撮像素子の電荷蓄積周期に同期して前記閃光装置の外部フラッシュ光源を間欠的に発光させる。
（特徴１９）
特徴１９に記載のカメラ本体は、
着脱可能なレンズユニットを支持するボディマウントと、
被写体の光学像を撮像して画像データを生成する撮像素子と、
着脱可能な閃光装置を支持するホットシューと、
撮像素子からの画像データに基づき評価値を算出してビデオＡＦを行うカメラコントローラーと、を備え、
前記カメラコントローラーは、補助光を使用すると判断した場合であって近赤外光を発する外部補助光源を有する閃光装置が装着された場合に、当該閃光装置の外部補助光源を発光させ、赤色のカラーフィルターが配置された画素からの信号を静止画撮影時よりも強調して画像データを取得するように前記撮像素子を制御する。
【００８６】
（特徴２０）
特徴２０に記載のカメラ本体は、特徴１９に記載のカメラ本体であって、
前記カメラコントローラーは、静止画撮影時の青色のカラーフィルターが配置された画素からの信号の増幅率に対する赤色のカラーフィルターが配置された画素からの信号の増幅率の比よりもビデオＡＦ時の青色のカラーフィルターが配置された画素からの信号の増幅率に対する赤色のカラーフィルターが配置された画素からの信号の増幅率の比を大きくし、および/または、静止画撮影時の緑色のカラーフィルターが配置された画素からの信号の増幅率に対する赤色のカラーフィルターが配置された画素からの信号の増幅率の比よりもビデオＡＦ時の緑色のカラーフィルターが配置された画素からの信号の増幅率に対する赤色のカラーフィルターが配置された画素からの信号の増幅率の比を大きくするようして前記画像データを取得するに前記撮像素子を制御することで、赤色のカラーフィルターが配置された画素からの信号を静止画撮影時よりも強調して画像データを取得するように前記撮像素子を制御する。
【００８７】
（特徴２１）
特徴２１に記載のカメラ本体は、特徴１９に記載のカメラ本体であって、
前記カメラコントローラーは、赤色のカラーフィルターが配置された画素からの信号にのみ基づいて画像データを取得するように前記撮像素子を制御することで、赤色のカラーフィルターが配置された画素からの信号を静止画撮影時よりも強調して画像データを取得するように前記撮像素子を制御する。
（特徴２２）
特徴２２に記載のカメラ本体は、特徴１９から特徴２１のいずれかに記載のカメラ本体であって、
前記カメラコントローラーは、赤色光を発する外部補助光源を発光させビデオＡＦを行う際、赤色光と基準光との焦点位置のずれを補正し、近赤外光を発する外部補助光源を発光させビデオＡＦを行う際、近赤外光と基準光との焦点位置のずれを補正する。
【００８８】
（特徴２３）
特徴２３に記載のカメラ本体は、特徴１９から特徴２１のいずれかに記載のカメラ本体であって、
前記カメラコントローラーは、赤色光を発する外部補助光源を発光させビデオＡＦを行う際、赤色光と基準光との焦点位置のずれを補正するためにフォーカスレンズを移動する量である第１補正量を用い、近赤外光を発する外部補助光源を発光させビデオＡＦを行う際、近赤外光と基準光との焦点位置のずれを補正するためにフォーカスレンズを移動する量である第２補正量を用いる。
（特徴２４）
特徴２４に記載のカメラ本体は、
着脱可能なレンズユニットを支持するボディマウントと、
被写体の光学像を撮像して画像データを生成する撮像素子と、
着脱可能な閃光装置を支持するホットシューと、
発光可能な光源と
撮像素子からの画像データに基づき評価値を算出してビデオＡＦを行うカメラコントローラーと、を備え、
前記カメラコントローラーは、補助光を使用すると判断した場合であって近赤外光を発する外部補助光源を有する閃光装置が装着された場合に、前記光源を発光させて前記撮像素子に画像データを取得させるように制御し、当該画像データに基づいて評価値を算出する。
【００８９】
（特徴２５）
特徴２５に記載のカメラ本体は、特徴２４に記載のカメラ本体であって、
前記光源は、閃光を発光可能な内部フラッシュであり、
前記カメラコントローラーは、補助光を使用すると判断した場合であって近赤外光を発する外部補助光源を有する閃光装置が装着された場合に、前記内部フラッシュを間欠的に発光させて前記撮像素子に画像データを取得させるように制御し、当該画像データに基づいて評価値を算出する。
（特徴２６）
特徴２６に記載のカメラ本体は、特徴２５に記載のカメラ本体であって、
前記カメラコントローラーは、補助光を使用すると判断した場合であって近赤外光を発する外部補助光源を有する閃光装置が装着された場合に、前記画像データ取得のための前記撮像素子の電荷蓄積周期に同期して前記内部フラッシュを間欠的に発光させる。
【００９０】
（特徴２７）
特徴２７に記載のカメラ本体は、特徴２４に記載のカメラ本体であって、
前記光源は、被写体に光を照射可能な内部補助光源であり、
前記カメラコントローラーは、補助光を使用すると判断した場合であって近赤外光を発する外部補助光源を有する閃光装置が装着された場合に、前記内部補助光源を発光させて前記撮像素子に画像データを取得させるように制御し、当該画像データに基づいて評価値を算出する。
（特徴２８）
特徴２８に記載のカメラ本体は、被写体の光学像を形成するためのレンズユニットと前記被写体に光を照射するための閃光装置とを装着可能なカメラ本体であって、
前記被写体の光学像を電気信号に変換し、前記被写体の画像データを生成する撮像素子と、
前記閃光装置を装着可能なホットシューと、
前記被写体に光を照射するための内部光源と
前記撮像素子で生成される前記画像データに基づき評価値を算出し、前記評価値に基づいてビデオＡＦを行うカメラコントローラーと、を備え、
前記カメラコントローラーは、補助光を使用すると判断した場合であって前記ホットシューに装着される前記閃光装置が近赤外光を発する外部補助光源を有していると判断した場合に、前記ビデオＡＦ中に前記内部光源を発光させて前記画像データが取得されるように前記撮像素子および前記内部光源を制御する。
【００９１】
特徴２８に記載のカメラ本体では、補助光を使用すると判断した場合であってホットシューに装着される閃光装置が近赤外光を発する外部補助光源を有していると判断した場合に、ビデオＡＦ中に内部光源を発光させて画像データが取得されるように、カメラコントローラーにより撮像素子および内部光源が制御される。
このため、近赤外光を発する外部補助光源を有する閃光装置、つまり、ビデオＡＦに対応していない閃光装置がホットシューに装着されても、内部光源を用いてビデオＡＦを行うことができ、ビデオＡＦに対応していない閃光装置であってもビデオＡＦの精度が低下しない。つまり、このカメラ本体では、様々な閃光装置との互換性を確保することが可能となる。
ここで、補助光には、閃光装置が発する光だけでなく、カメラ本体に搭載された内部光源が発する光も含まれる。補助光を使用するか否かは、例えば、強制発光モード、発光禁止モードおよび自動発光モードなどの発光モードで判断することができる。
【００９２】
また、ビデオＡＦとは、撮像素子で生成される画像データに基づいたオートフォーカスを意味している。さらに、閃光装置の外部補助光源とは、補助的に用いられる光源であり、閃光装置の外部メイン光源よりも出力が小さい。
（特徴２９）
特徴２９に記載のカメラ本体は、特徴２８に記載のカメラ本体であって、
前記内部光源は、前記被写体に光を照射するための内部メイン光源であり、
前記カメラコントローラーは、補助光を使用すると判断した場合であって前記ホットシューに装着される前記閃光装置が近赤外光を発する外部補助光源を有していると判断した場合に、前記ビデオＡＦ中に前記内部メイン光源が間欠的に発光するように前記内部メイン光源を制御する。
【００９３】
（特徴３０）
特徴３０に記載のカメラ本体は、特徴２９に記載のカメラ本体であって、
前記カメラコントローラーは、補助光を使用すると判断した場合であって前記ホットシューに装着される前記閃光装置が近赤外光を発する外部補助光源を有していると判断した場合に、前記撮像素子の電荷蓄積周期に同期して前記内部メイン光源が間欠的に発光するように前記内部メイン光源を制御する。
（特徴３１）
特徴３１に記載のカメラ本体は、特徴３０に記載のカメラ本体であって、
前記内部光源は、前記被写体に光を照射するための内部補助光源であり、
前記カメラコントローラーは、補助光を使用すると判断した場合であって前記ホットシューに装着される前記閃光装置が近赤外光を発する外部補助光源を有していると判断した場合に、前記ビデオＡＦ中に前記内部補助光源が連続的に発光するように前記内部補助光源を制御する。
【００９４】
（特徴３２）
特徴３２に記載のカメラ本体は、特徴２８から特徴３１のいずれかに記載のカメラ本体であって、
前記カメラコントローラーは、前記閃光装置が近赤外光を発する外部補助光源を有しているか否かに関する光源特定情報を前記ホットシューに装着されている前記閃光装置から取得し、前記光源特定情報に基づいて前記閃光装置が近赤外光を発する外部補助光源を有しているか否かを判断する。
（特徴３３）
特徴３３に記載のカメラ本体は、特徴３２に記載のカメラ本体であって、
前記カメラコントローラーは、前記光源特定情報が前記閃光装置から取得できない場合は、前記閃光装置が近赤外光を発する外部補助光源を有していると判断する。
【００９５】
（特徴３４）
前記カメラコントローラーは、前記閃光装置を特定するための製品特定情報を前記ホットシューに装着された前記閃光装置から取得し、前記製品特定情報に基づいて前記閃光装置が近赤外光を発する外部補助光源を有しているか否かを判断する、
請求項１に記載のカメラ本体。
（特徴３５）
特徴３５に記載のカメラ本体は、特徴３４に記載のカメラ本体であって、
前記カメラコントローラーは、近赤外光を発する外部補助光源を有している前記閃光装置の製品特定情報を含む製品リストを記憶しており、前記ホットシューに装着された閃光装置から取得した前記製品特定情報が前記製品リストに含まれている場合には、前記ホットシューに装着された閃光装置の前記外部補助光源がビデオＡＦに対応していると判断し、前記ホットシューに装着された閃光装置から取得した前記製品特定情報が前記製品リストに含まれていない場合には、前記装着された閃光装置が近赤外光を発する外部補助光源を有していると判断する。
【００９６】
（特徴３６）
特徴３６に記載のカメラ本体は、特徴３４に記載のカメラ本体であって、
前記カメラコントローラーは、近赤外光を発する外部補助光源を有していない閃光装置の製品特定情報を含む製品リストを記憶しており、前記ホットシューに装着された閃光装置から取得した前記製品特定情報が前記製品リストに含まれていない場合には、前記ホットシューに装着された閃光装置が近赤外光を発する外部補助光源を有していると判断し、前記ホットシューに装着された閃光装置から取得した前記製品特定情報が前記製品リストに含まれている場合には、前記ホットシューに装着された閃光装置が近赤外光を発する外部補助光源を有していないと判断する。
（特徴３７）
特徴３７に記載のカメラ本体は、特徴２８から特徴３６のいずれかに記載のカメラ本体であって、
前記カメラコントローラーは、補助光を使用するか否かを判断する補助光判断部と、前記ホットシューに装着された前記閃光装置が近赤外光を発する外部補助光源を有しているか否かを判断する閃光装置判断部と、前記補助光判断部の第１判断結果と前記閃光装置判断部の第２判断結果とに基づいて、前記ビデオＡＦ中に前記外部メイン光源が間欠的に発光するように前記閃光装置を制御する発光動作制御部と、を有している。
【産業上の利用可能性】
【００９７】
本発明は、デジタルスチルカメラやデジタルビデオカメラなどの撮像装置に適用可能である。
【符号の説明】
【００９８】
１  デジタルカメラ
１００  カメラ本体
１１０  ＣＭＯＳイメージセンサー（撮像素子の一例）
１１１  ＡＤコンバーター
１１２  タイミング発生器
１１３  ＣＭＯＳ回路基板
１１４  光学フィルタ
１１５  振動板
１２０  カメラモニタ
１２１  ヒンジ
１３０  操作部
１３１  レリーズ釦
１３２  電源スイッチ
１４０  カメラコントローラー
１６１  ホットシュー
１６２  データ信号端子
１６３  ＸＳＷ信号端子
１６４  外部フラッシュ検知用端子
１９１  内部メイン光源
１９２  内部補助光源
２００  レンズユニット
２１０  ズームレンズ
３００  外部フラッシュ
３０１  外部メイン光源
３０２  外部補助光源
３０３  フラッシュコントローラー
３０４  ホットシューマウント
３０５  電源
３６２  データ信号端子
３６３  ＸＳＷ信号端子
３６４  外部フラッシュ検知用端子
４００  外部フラッシュ
４０２  外部補助光源
Ｘ１  第１補正量
Ｘ２  第２補正量
【図１】
2010097213.tif 000003
【図２】
2010097213.tif 000004
【図３】
2010097213.tif 000005
【図４】
2010097213.tif 000006
【図５】
2010097213.tif 000007
【図６】
2010097213.tif 000008
【図７】
2010097213.tif 000009
【図８】
2010097213.tif 000010
【図９】
2010097213.tif 000011
【図１０Ａ】
2010097213.tif 000012
【図１０Ｂ】
2010097213.tif 000013
【図１１】
2010097213.tif 000014
【図１２】
2010097213.tif 000015
【図１３】
2010097213.tif 000016
【図１４】
2010097213.tif 000017
【図１５】
2010097213.tif 000018